(57)【要約】【課題】動画撮影中に割り込み処理による静止画撮影が行われても、動画撮影により得られる動画データの利便性を損なうことのない撮影装置及び撮影方法を提供する。【解決手段】音声付き動画撮影処理を開始した後（Ｓ２でYES）、動画記録処理と音声録音処理とを開始する（Ｓ１４）。その後、シャッターボタンが半押しされた時点（Ｓ１６でYES）で動画記録処理を動画フレーム周期で撮像した動画フレームに代え、シャッターボタンが半押しされる直前のフレームデータをコピーした代替フレームを記憶する処理に切り替え（ステップＳ２０）、静止画撮影処理を行う。静止画撮影処理の終了後、通常の動画記録処理を再開し、録画終了ボタンが操作されたら（Ｓ１７でYES）、バッファメモリに蓄積されている代替フレームを含むフレームデータと音声データから音声付き動画ファイルを生成し記憶する（Ｓ１８）。撮影が中断されても単一の動画ファイルとして動画を記録できる。【選択図】      図２
2006314136.tif 000002
【特許請求の範囲】
【請求項１】
動画撮影中における静止画撮影機能を有する撮影装置であって、
動画撮影処理及び静止画撮影処理を実行する撮像手段と、
この撮像手段による動画撮影処理中において、前記撮像手段による動画撮影処理の停止処理、前記撮像手段による静止画撮影処理、及び前記撮像手段による動画撮影処理の再開処理を順番に実行する割り込み処理手段と、
前記撮像手段により前記静止画撮影処理前に実行されていた動画撮影処理により得られた動画フレーム、及び前記静止画撮影処理後に再開された動画撮影処理により得られた動画フレームを含む１つの動画ファイルを生成する動画ファイル生成手段と
を備えたことを特徴とする撮影装置。
【請求項２】
前記撮像手段による動画撮影処理中に静止画の撮影を指示する撮影指示手段を更に備え、
前記割り込み処理手段は、この撮影指示手段により静止画の撮影が指示された時、前記撮像手段による動画撮影処理の停止処理、前記撮像手段による静止画撮影処理、及び前記撮像手段による動画撮影処理の再開処理を順番に実行することを特徴とする請求項１記載の撮影装置。
【請求項３】
前記割り込み処理手段は、前記静止画撮影処理の完了に伴い前記撮像手段による動画撮影処理の再開処理を実行することを特徴とする請求項１又は２記載の撮影装置。
【請求項４】
前記撮像手段による動画撮影処理中に前記静止画撮影処理のためのオートフォーカス処理又はオートアイリス処理の実行を指示する撮影準備指示手段と、
前記撮影準備指示手段によりオートフォーカス処理又はオートアイリス処理の実行が指示された時、更にオートフォーカス処理又はオートアイリス処理を実行する撮影準備制御手段とを更に備えたことを特徴とする請求項２記載の撮影装置。
【請求項５】
２段押しが可能なシャッターボタンを更に備え、
前記撮影準備指示手段は、前記シャッターボタンの半押し操作に応答して前記静止画撮影処理のためのオートフォーカス処理又はオートアイリス処理の実行を指示し、
前記撮影指示手段は、前記シャッターボタンの全押し操作に応答して静止画の撮影を指示することを特徴とする請求項４記載の撮影装置。
【請求項６】
前記撮像手段による動画撮影処理の停止を指示する停止指示手段と、
静止画の撮影を指示する撮影指示手段とを更に備え、
前記割り込み処理手段は、前記停止指示手段により動画撮影処理の停止が指示された時、前記撮像手段による動画撮影処理の停止処理を実行し、その後、前記撮影指示手段により静止画の撮影が指示された時、前記撮像手段による静止画撮影処理を実行することを特徴とする請求項１記載の撮影装置。
【請求項７】
２段押しが可能なシャッターボタンを更に備え、
前記停止指示手段は、前記シャッターボタンの半押し操作に応答して前記撮像手段による動画撮影処理の停止を指示し、
前記撮影指示手段は、前記シャッターボタンの全押し操作に応答して静止画の撮影を指示することを特徴とする請求項６記載の撮影装置。
【請求項８】
前記割り込み処理手段は、前記停止指示手段により動画撮影処理の停止が指示された時、更にオートフォーカス処理又はオートアイリス処理を実行することを特徴とする請求項６又は７記載の撮影装置。
【請求項９】
前記割り込み処理手段は、前記停止指示手段により動画撮影処理の停止が指示された時、更にスルー画象表示処理を実行することを特徴とする請求項６乃至８いずれかに記載の撮影装置。
【請求項１０】
前記撮像手段による動画撮影処理の再開を指示する再開指示手段と、
前記割り込み処理手段は、前記静止画撮影処理の完了後、前記再開指示手段により動画撮影処理の再開が指示された時、前記撮像手段による動画撮影処理の再開処理を実行することを特徴とする請求項１、６乃至９いずれかに記載の撮影装置。
【請求項１１】
２段押しが可能なシャッターボタンを更に備え、
前記再開指示手段は、前記シャッターボタンの半押し操作の解除に応答して前記撮像手段による動画撮影処理の再開を指示することを特徴とする請求項１０記載の撮影装置。
【請求項１２】
前記動画撮影処理が停止されることにより欠落した動画フレームに代わる代替フレームを生成する代替フレーム生成手段を備え、
前記動画ファイル生成手段は、前記代替フレーム生成手段により生成された代替フレームを含む動画ファイルを生成することを特徴とする請求項１乃至１１いずれかに記載の撮影装置。
【請求項１３】
前記代替フレーム生成手段は、前記動画撮影処理が停止される直前の動画撮影処理により得られた動画フレームを用いて前記代替フレームを生成することを特徴とする請求項１２記載の撮影装置。
【請求項１４】
前記代替フレーム生成手段は、前記撮像手段による静止画撮影処理により得られた静止画フレームを用いて前記代替フレームを生成することを特徴とする請求項１２記載の撮影装置。
【請求項１５】
前記撮像手段による動画撮影処理を再開するための開始タイミングを、前記動画撮影処理が停止される前の動画撮影処理における動画フレーム撮影周期に同期させる同期制御手段を更に備えたことを特徴とする請求項１乃至１４いずれかに記載の撮影装置。
【請求項１６】
前記動画撮影処理と並行して録音処理を実行する録音手段を更に備え、
前記割り込み処理手段は、更に、前記動画撮影処理を停止する前の動画撮影処理と並行して前記録音手段により実行されていた録音処理を、前記動画撮影処理を再開するまで継続して実行する手段を含むことを特徴とする請求項１記載の撮影装置。
【請求項１７】
前記動画ファイル生成手段により生成された１つの動画ファイルを、前記録音手段により実行された録音処理により得られた音声データと関連付けて記録する記録手段を更に備えたことを特徴とする請求項１６記載の撮影装置。
【請求項１８】
前記動画ファイル生成手段により生成された１つの動画ファイルを記録する記録手段を更に備えたことを特徴とする請求項１乃至１６いずれかに記載の撮影装置。
【請求項１９】
所定の処理に伴い報知音を出力する放音手段と、
前記動画撮影処理及び前記割り込み処理手段により割り込み処理を実行している間、前記放音手段による報知音の出力処理を禁止する報知音制御手段と
を備えたことを特徴とする請求項１６又は１７記載の撮影装置。
【請求項２０】
前記静止画撮影処理のためのオートフォーカス処理又はオートアイリス処理の実行を指示する撮影準備指示手段と、
前記撮影準備指示手段によりオートフォーカス処理又はオートアイリス処理の実行が指示された時、更にオートフォーカス処理又はオートアイリス処理を実行する撮影準備制御手段とを更に備え、
前記報音手段は、前記オートフォーカス処理又はオートアイリス処理に伴い報知音を出力することを特徴とする請求項１９記載の撮影装置。
【請求項２１】
静止画の撮影を指示する撮影指示手段を更に備え、
前記割り込み処理手段は、前記撮影指示手段により静止画の撮影が指示された時、前記静止画撮影処理を実行し、
前記報音手段は、前記静止画撮影処理に伴い報知音を出力することを特徴とする請求項１９記載の撮影装置。
【請求項２２】
前記割り込み処理手段により動画撮影処理の停止処理が実行されてからの経過時間を計測するタイマ手段と、
このタイマ手段により計測される計測時間が、前記割り込み処理手段により動画撮影処理の再開処理が実行される前に所定時間に達したか否かを判別する判別手段と、
この判別手段により所定時間に達したと判別された場合、所定の処理を実行する所定処理実行手段と
を備えたことを特徴とする請求項１記載の撮影装置。
【請求項２３】
静止画の撮影を指示する撮影指示手段を更に備え、
前記所定処理実行手段は、前記撮影指示手段による静止画の撮影指示を促す報知処理を実行することを特徴とする請求項２２記載の撮影装置。
【請求項２４】
前記所定処理実行手段は、前記割り込み処理手段による動画撮影処理の再開処理を強制的に実行させることを特徴とする請求項２２記載の撮影装置。
【請求項２５】
前記割り込み処理手段は、前記動画撮影処理の停止処理を実行してから前記動画撮影処理の再開処理を実行するまでの間に、前記静止画撮影処理を複数回実行可能とすることを特徴とする請求項１記載の撮影装置。
【請求項２６】
前記割り込み処理手段は、更に、前記動画撮影処理の停止処理を実行してから前記動画撮影処理の再開処理を実行するまでの間に実行可能とする静止画撮影処理の最大実行回数を制限することを特徴とする請求項２５記載の撮影装置。
【請求項２７】
前記割り込み処理手段は、前記静止画撮影処理の実行回数が最大実行回数に達した場合、動画撮影処理の再開処理を強制的に実行する手段を含むことを特徴とする請求項２６記載の撮影装置。
【請求項２８】
静止画の撮影を指示する撮影指示手段を更に備え、
前記割り込み処理手段は、この撮影指示手段により静止画の撮影が繰り返し指示されることにより、前記動画撮影処理の停止処理を実行してから前記動画撮影処理の再開処理を実行するまでの間に前記静止画撮影処理を繰り返し実行することを特徴とする請求項２５乃至２７いずれかに記載の撮影装置。
【請求項２９】
動画撮影中における静止画撮影機能を有する撮影装置の撮像方法であって、
撮像手段による動画撮影処理中において、前記撮像手段による動画撮影処理の停止処理、前記撮像手段による静止画撮影処理、及び前記撮像手段による動画撮影処理の再開処理を順番に実行する工程と、
前記撮像手段により前記静止画撮影処理前に実行されていた動画撮影処理により得られた動画フレーム、及び前記静止画撮影処理後に再開された動画撮影処理により得られた動画フレームを含む１つの動画ファイルを生成する工程と
からなることを特徴とする撮影方法。
【請求項３０】
動画撮影中における静止画撮影機能を有する撮影装置が有するコンピュータに、
撮像手段による動画撮影処理中において、前記撮像手段による動画撮影処理の停止処理、前記撮像手段による静止画撮影処理、及び前記撮像手段による動画撮影処理の再開処理を順番に実行する割り込み処理と、
前記撮像手段により前記静止画撮影処理前に実行されていた動画撮影処理により得られた動画フレーム、及び前記静止画撮影処理後に再開された動画撮影処理により得られた動画フレームを含む１つの動画ファイルを生成する処理と
を実行させるためのプログラム。
【発明の詳細な説明】
【技術分野】
【０００１】
本発明は、動画撮影中における静止画撮影機能を有する撮影装置および撮影方法に関する。
【背景技術】
【０００２】
従来、ＣＣＤ等の固体撮像素子が撮像した被写体の画像信号をデジタル信号に変換し、その画像データを記録媒体に記録するデジタルカメラにおいては、通常の静止画撮影機能に加え動画撮影機能を備えたものや、さらに静止画像や動画像と音声とを同時に記録する音声付き撮影機能を備えたものがある。
【０００３】
かかるデジタルカメラでは、通常、撮影モードとして静止画撮影を行う静止画撮影モードと、動画画撮影を行う動画撮影モードとを個別に設け、キー操作等のユーザー操作によってモード遷移を行う仕様となっている。
【０００４】
また、下記特許文献１，２には、デジタルカメラにおいて動画撮影中に静止画撮影を行う方法が開示されている。特許文献１の方法は、動画撮影中に静止画の撮影操作に応じて、動画フレーム周期で動画フレームを撮像してバッファメモリに記憶する動作を行いながら、次の動画フレームを記録する間に静止画を撮像して記録する、つまり動画撮影処理と静止画撮影処理とを並行して行うものである。
【０００５】
特許文献２の方法は、動画撮影中に静止画の撮影操作があったとき、動画フレームの撮像及び記憶動作をいったん中断し、その間に静止画を撮影して記録した後、動画フレームの撮像及び記憶を再開する、つまり静止画撮影を割り込み処理によって行う。そして、動画撮影が終了した時点では、静止画撮影中に記録できなかった中断期間の動画フレームに対応する補間用のフレームを別途生成して記憶しておき、動画再生時には、中断期間に補間用のフレームを表示させることにより、結果として動画撮影中の静止画撮影を可能とするものである。
【特許文献１】特開平１１−５５６１７号公報（「００１０」及び「００１１」段落、図２参照）
【特許文献２】特開２００１−１１１９３４号公報（「００２９」〜「００３２」段落、図１、図４参照）
【発明の開示】
【発明が解決しようとする課題】
【０００６】
しかしながら、前述したように静止画を撮影するモードと、動画を撮影するモードとが個別に設けられているデジタルカメラにおいて、動画撮影中に静止画撮影を行った場合には、静止画撮影により中断した動画撮影における動画圧縮データのファイル（動画ファィル）が、静止画撮影を挟んで２つに分割されてしまう。そのため、動画撮影により記録したファイルの管理が煩雑となり、さらに撮影した動画を再生する際には、対をなす２つの動画ファイルを連続して再生させる作業を強いられるといった問題があった。また、係る問題については、上記特許文献１，２に開示されている技術によっても解決できなかった。
【０００７】
本発明は、かかる従来の課題に鑑みてなされたものであり、動画撮影中に静止画撮影が行われた場合であっても、動画撮影により得られる動画データの利便性を損なうことのない撮影装置および撮影方法を提供することを目的とする。
【課題を解決するための手段】
【０００８】
前記課題を解決するために請求項１の発明にあっては、動画撮影中における静止画撮影機能を有する撮影装置であって、動画撮影処理及び静止画撮影処理を実行する撮像手段と、この撮像手段による動画撮影処理中において、前記撮像手段による動画撮影処理の停止処理、前記撮像手段による静止画撮影処理、及び前記撮像手段による動画撮影処理の再開処理を順番に実行する割り込み処理手段と、前記撮像手段により前記静止画撮影処理前に実行されていた動画撮影処理により得られた動画フレーム、及び前記静止画撮影処理後に再開された動画撮影処理により得られた動画フレームを含む１つの動画ファイルを生成する動画ファイル生成手段とを備えたものとした。
かかる構成においては、静止画撮影処理によって一時的に動画撮影処理が中断された動画であっても、単一の動画ファイルとして生成される。したがって、動画撮影処理中に静止画撮影処理が行われた場合であっても、動画撮影処理により得られる動画データが分断されることがない。
【０００９】
また、請求項２の発明にあっては、前記撮像手段による動画撮影処理中に静止画の撮影を指示する撮影指示手段を更に備え、前記割り込み処理手段は、この撮影指示手段により静止画の撮影が指示された時、前記撮像手段による動画撮影処理の停止処理、前記撮像手段による静止画撮影処理、及び前記撮像手段による動画撮影処理の再開処理を順番に実行するものとした。
かかる構成においては、動画撮影処理の中断時間を必要最小限に抑えることができるので結果として動画データとしての品質を保つことができるとともに、静止画撮影処理を実行する際の操作を簡略化することができる。
【００１０】
また、請求項３の発明にあっては、前記割り込み処理手段は、前記静止画撮影処理の完了に伴い前記撮像手段による動画撮影処理の再開処理を実行するものとした。
かかる構成においては、動画撮影処理の中断時間を必要最小限に抑えることができるので、結果として動画データとしての品質を保つことができるとともに、静止画撮影処理を実行する際の操作を簡略化することができる。
【００１１】
また、請求項４の発明にあっては、前記撮像手段による動画撮影処理中に前記静止画撮影処理のためのオートフォーカス処理又はオートアイリス処理の実行を指示する撮影準備指示手段と、前記撮影準備指示手段によりオートフォーカス処理又はオートアイリス処理の実行が指示された時、更にオートフォーカス処理又はオートアイリス処理を実行する撮影準備制御手段とを更に備えたものとした。
【００１２】
かかる構成においては、静止画撮影処理前に静止画撮影処理のためのオートフォーカス処理又はオートアイリス処理を実行することができるので、静止画撮影処理により得られる静止画データの品質を向上させることができる。
【００１３】
また、請求項５の発明にあっては、２段押しが可能なシャッターボタンを更に備え、前記撮影準備指示手段は、前記シャッターボタンの半押し操作に応答して前記静止画撮影処理のためのオートフォーカス処理又はオートアイリス処理の実行を指示し、前記撮影指示手段は、前記シャッターボタンの全押し操作に応答して静止画の撮影を指示するものとした。
【００１４】
かかる構成においては、撮影準備指示と撮影指示とをシャッターボタン操作により行なうことができ、操作性を向上させることができる。
【００１５】
また、請求項６の発明にあっては、前記撮像手段による動画撮影処理の停止を指示する停止指示手段と、静止画の撮影を指示する撮影指示手段とを更に備え、前記割り込み処理手段は、前記停止指示手段により動画撮影処理の停止が指示された時、前記撮像手段による動画撮影処理の停止処理を実行し、その後、前記撮影指示手段により静止画の撮影が指示された時、前記撮像手段による静止画撮影処理を実行するものとした。
かかる構成においては、動画撮影処理を停止させた後、撮影装置を動かしてから静止画撮影処理を実行させることができるので、動画撮影処理中とは異なる画角（フレーミング）により静止画撮影処理を実行させるといったことが可能になる。
【００１６】
また、請求項７の発明にあっては、２段押しが可能なシャッターボタンを更に備え、前記停止指示手段は、前記シャッターボタンの半押し操作に応答して前記撮像手段による動画撮影処理の停止を指示し、前記撮影指示手段は、前記シャッターボタンの全押し操作に応答して静止画の撮影を指示するものとした。
【００１７】
かかる構成においては、動画撮影停止指示と静止画撮影指示とをシャッターボタン操作により行なうことができ、操作性を向上させることができる。
【００１８】
また、請求項８の発明にあっては、前記割り込み処理手段は、前記停止指示手段により動画撮影処理の停止が指示された時、更にオートフォーカス処理又はオートアイリス処理を実行するものとした。
【００１９】
かかる構成においては、動画撮影停止指示により静止画撮影処理前に静止画撮影処理のためのオートフォーカス処理又はオートアイリス処理も実行するようにしたので、静止画撮影処理により得られる静止画データの品質を向上させることができる。
【００２０】
また、請求項９の発明にあっては、前記割り込み処理手段は、前記停止指示手段により動画撮影処理の停止が指示された時、更にスルー画象表示処理を実行するものとした。
かかる構成においては、動画撮影停止指示によりスルー画像表示処理も実行するようにしたので、ユーザはこのスルー画像を視認することにより静止画撮影処理のための画角調整を行なうことができる。
【００２１】
また、請求項１０の発明にあっては、前記撮像手段による動画撮影処理の再開を指示する再開指示手段と、前記割り込み処理手段は、前記静止画撮影処理の完了後、前記再開指示手段により動画撮影処理の再開が指示された時、前記撮像手段による動画撮影処理の再開処理を実行するものとした。
かかる構成においては、静止画撮影処理が完了した後、撮影装置を動かすことにより動画撮影処理を停止させる前のフレーミング状態に戻してから動画撮影処理を再開させることができるので、動画撮影処理を停止する直前の動画フレームと動画撮影処理を再開した直後の動画フレームとで画角を一致させるといったことが可能になる。
【００２２】
また、請求項１１の発明にあっては、２段押しが可能なシャッターボタンを更に備え、前記再開指示手段は、前記シャッターボタンの半押し操作の解除に応答して前記撮像手段による動画撮影処理の再開を指示するものとした。
【００２３】
かかる構成においては、静止画撮影を指示するためのシャッターボタンの半押し操作の解除により動画撮影処理の再開を指示することができ、操作性を向上させることができる。
【００２４】
また、請求項１２の発明にあっては、前記動画撮影処理が停止されることにより欠落した動画フレームに代わる代替フレームを生成する代替フレーム生成手段を備え、前記動画ファイル生成手段は、前記代替フレーム生成手段により生成された代替フレームを含む動画ファイルを生成するものとした。
【００２５】
かかる構成においては、静止画撮影処理により欠落した動画フレームが代替フレームによって補充されることにより、途中で静止画撮影処理がなかったときと同様のフレーム数の動画が作成される。したがって、記録された動画の再生時間を実際の撮影時間と同じ時間にすることができる。
【００２６】
また、請求項１３の発明にあっては、前記代替フレーム生成手段は、前記動画撮影処理が停止される直前の動画撮影処理により得られた動画フレームを用いて前記代替フレームを生成するものとした。
かかる構成においては、静止画撮影処理により動画撮影処理が中断された期間に中断前と同様の被写体が存在する動画のファイルが取得できる。
【００２７】
また、請求項１４の発明にあっては、前記代替フレーム生成手段は、前記撮像手段による静止画撮影処理により得られた静止画フレームを用いて前記代替フレームを生成するものとした。
かかる構成においては、静止画撮影処理により動画撮影処理が中断されていた期間中における静止画撮影処理により得られた被写体が存在する動画のファイルが取得できるので、動画撮影処理により得られる動画データの品質を向上させることができる。
【００２８】
また、請求項１５の発明にあっては、前記撮像手段による動画撮影処理を再開するための開始タイミングを、前記動画撮影処理が停止される前の動画撮影処理における動画フレーム撮影周期に同期させる同期制御手段を更に備えたものとした。
かかる構成においては、撮影時間と全く同一の再生時間を有する動画のファイルが取得できる。
【００２９】
また、請求項１６の発明にあっては、前記動画撮影処理と並行して録音処理を実行する録音手段を更に備え、前記割り込み処理手段は、更に、前記動画撮影処理を停止する前の動画撮影処理と並行して前記録音手段により実行されていた録音処理を、前記動画撮影処理を再開するまで継続して実行する手段を含むものとした。
【００３０】
かかる構成においては、静止画撮影処理により動画撮影処理が中断された期間中において録音された音声を取得することができるので、動画撮影処理により得られる動画データの品質を向上させることができる。
【００３１】
また、請求項１７の発明にあっては、前記動画ファイル生成手段により生成された１つの動画ファイルを、前記録音手段により実行された録音処理により得られた音声データと関連付けて記録する記録手段を更に備えたものとした。
【００３２】
かかる構成においては、静止画撮影処理により動画撮影処理が中断された期間中において録音された実際の音声が付属する音声付き動画のファイルを記録するので、記録した音声付き動画を再生する際、動画撮影処理が中断された期間中の再生品質を補うことができる。
【００３３】
また、請求項１８の発明にあっては、前記動画ファイル生成手段により生成された１つの動画ファイルを記録する記録手段を更に備えたものとした。
【００３４】
かかる構成においては、静止画撮影によって一時的に撮影が中断された動画であっても、単一の動画ファイルとして生成されて記録される。したがって、動画を再生する際、分断された対をなす２つの動画ファイルを連続して再生させる作業を強いられるといったことがなくなる。
【００３５】
また、請求項１９の発明にあっては、所定の処理に伴い報知音を出力する放音手段と、前記動画撮影処理及び前記割り込み処理手段により割り込み処理を実行している間、前記放音手段による報知音の出力処理を禁止する報知音制御手段とを備えたものとした。
【００３６】
かかる構成においては、録音音声中に音声ノイズが混入するのを防止することができるので、録音処理により得られる音声データの品質を向上させることができる。
【００３７】
また、請求項２０の発明にあっては、前記静止画撮影処理のためのオートフォーカス処理又はオートアイリス処理の実行を指示する撮影準備指示手段と、前記撮影準備指示手段によりオートフォーカス処理又はオートアイリス処理の実行が指示された時、更にオートフォーカス処理又はオートアイリス処理を実行する撮影準備制御手段とを更に備え、前記報音手段は、前記オートフォーカス処理又はオートアイリス処理に伴い報知音を出力するものとした。
かかる構成においては、録音音声中に撮影準備処理の実行に伴い発生する報知音が混入するのを防止することができるので、録音処理により得られる音声データの品質を向上させることができる。
【００３８】
また、請求項２１の発明にあっては、静止画の撮影を指示する撮影指示手段を更に備え、前記割り込み処理手段は、前記撮影指示手段により静止画の撮影が指示された時、前記静止画撮影処理を実行し、前記報音手段は、前記静止画撮影処理に伴い報知音を出力するものとした。
かかる構成においては、録音音声中に静止画撮影処理の実行に伴い発生する報知音が混入するのを防止することができるので、録音処理により得られる音声データの品質を向上させることができる。
【００３９】
また、請求項２２の発明にあっては、前記割り込み処理手段により動画撮影処理の停止処理が実行されてからの経過時間を計測するタイマ手段と、このタイマ手段により計測される計測時間が、前記割り込み処理手段により動画撮影処理の再開処理が実行される前に所定時間に達したか否かを判別する判別手段と、この判別手段により所定時間に達したと判別された場合、所定の処理を実行する所定処理実行手段とを備えたものとした。
かかる構成においては、動画撮影処理が中断される時間の長期化を回避することができる。
【００４０】
また、請求項２３の発明にあっては、静止画の撮影を指示する撮影指示手段を更に備え、前記所定処理実行手段は、前記撮影指示手段による静止画の撮影指示を促す報知処理を実行するものとした。
【００４１】
かかる構成においても、ユーザに静止画の撮影指示を促すことにより動画撮影処理が中断される時間の長期化を回避することができる。
【００４２】
また、請求項２４の発明にあっては、前記所定処理実行手段は、前記割り込み処理手段による動画撮影処理の再開処理を強制的に実行させるものとした。
【００４３】
かかる構成においては、動画撮影処理が中断される時間の長期化を確実に防止することができる。
【００４４】
また、請求項２５の発明にあっては、前記割り込み処理手段は、前記動画撮影処理の停止処理を実行してから前記動画撮影処理の再開処理を実行するまでの間に、前記静止画撮影処理を複数回実行可能とするものとした。
【００４５】
かかる構成においては、１回の割り込み処理中に何度でも静止画撮影処理を実行することができるので、動画撮影処理中において静止画撮影処理を実行する際の利便性を向上させることができる。
【００４６】
また、請求項２６の発明にあっては、前記割り込み処理手段は、更に、前記動画撮影処理の停止処理を実行してから前記動画撮影処理の再開処理を実行するまでの間に実行可能とする静止画撮影処理の最大実行回数を制限するものとした。
かかる構成においては、動画撮影処理が中断される時間の長期化を回避することができる。
【００４７】
また、請求項２７の発明にあっては、前記割り込み処理手段は、前記静止画撮影処理の実行回数が最大実行回数に達した場合、動画撮影処理の再開処理を強制的に実行する手段を含むものとした。
【００４８】
かかる構成においては、動画撮影処理が中断される時間の長期化を確実に防止することができる。
【００４９】
また、請求項２８の発明にあっては、静止画の撮影を指示する撮影指示手段を更に備え、前記割り込み処理手段は、この撮影指示手段により静止画の撮影が繰り返し指示されることにより、前記動画撮影処理の停止処理を実行してから前記動画撮影処理の再開処理を実行するまでの間に前記静止画撮影処理を繰り返し実行するものとした。
【００５０】
かかる構成においては、割り込み処理中におけるユーザによる静止画撮影指示によりユーザが必要とする回数の静止画撮影処理を実行することができる。
【００５１】
また、請求項２９の発明にあっては、動画撮影中における静止画撮影機能を有する撮影装置の撮像方法であって、撮像手段による動画撮影処理中において、前記撮像手段による動画撮影処理の停止処理、前記撮像手段による静止画撮影処理、及び前記撮像手段による動画撮影処理の再開処理を順番に実行する工程と、前記撮像手段により前記静止画撮影処理前に実行されていた動画撮影処理により得られた動画フレーム、及び前記静止画撮影処理後に再開された動画撮影処理により得られた動画フレームを含む１つの動画ファイルを生成する工程とからなることを特徴とする撮影方法とした。
【００５２】
かかる方法によれば、静止画撮影処理によって一時的に動画撮影処理が中断された動画であっても、それが単一の動画ファイルとして生成される。したがって、動画撮影処理中に静止画撮影処理が行われた場合であっても、動画撮影処理により得られる動画データが分断されることがない。
【００５３】
また、請求項３０の発明にあっては、動画撮影中における静止画撮影機能を有する撮影装置が有するコンピュータに、撮像手段による動画撮影処理中において、前記撮像手段による動画撮影処理の停止処理、前記撮像手段による静止画撮影処理、及び前記撮像手段による動画撮影処理の再開処理を順番に実行する割り込み処理と、前記撮像手段により前記静止画撮影処理前に実行されていた動画撮影処理により得られた動画フレーム、及び前記静止画撮影処理後に再開された動画撮影処理により得られた動画フレームを含む１つの動画ファイルを生成する処理とを実行させるためのプログラムとした。
かかるプログラムによれば、静止画撮影処理によって一時的に動画撮影処理が中断された動画であっても、それが単一の動画ファイルとして生成される。したがって、動画撮影処理中に静止画撮影処理が行われた場合であっても、動画撮影処理により得られる動画データが分断されることがない。
【発明の効果】
【００５４】
以上説明したように請求項１及び請求項２９の発明にあっては、静止画撮影処理によって一時的に動画撮影処理が中断された動画であっても、単一の動画ファイルとして生成される。したがって、動画撮影処理中に静止画撮影処理が行われた場合であっても、動画撮影処理により得られる動画データが分断されることがなく、ファイル管理（整理）時や動画再生時における利便性を大幅に向上させることが可能となる。
また、請求項２の発明にあっては、動画撮影処理の中断時間を必要最小限に抑えることができるので結果として動画データとしての品質を保つことができるとともに、静止画撮影処理を実行する際の操作を簡略化することができる。
また、請求項３の発明にあっては、動画撮影処理の中断時間を必要最小限に抑えることができるので、結果として動画データとしての品質を保つことができるとともに、静止画撮影処理を実行する際の操作を簡略化することができる。
【００５５】
また、請求項４の発明にあっては、静止画撮影処理前に静止画撮影処理のためのオートフォーカス処理又はオートアイリス処理を実行することができるので、静止画撮影処理により得られる静止画データの品質を向上させることができる。
【００５６】
また、請求項５の発明にあっては、撮影準備指示と撮影指示とをシャッターボタン操作により行なうことができ、操作性を向上させることができる。
また、請求項６の発明にあっては、動画撮影処理を停止させた後、撮影装置を動かしてから静止画撮影処理を実行させることができるので、動画撮影処理中とは異なる画角（フレーミング）により静止画撮影処理を実行させるといったことが可能になる。
【００５７】
また、請求項７の発明にあっては、動画撮影停止指示と静止画撮影指示とをシャッターボタン操作により行なうことができ、操作性を向上させることができる。
【００５８】
また、請求項８の発明にあっては、動画撮影停止指示により静止画撮影処理前に静止画撮影処理のためのオートフォーカス処理又はオートアイリス処理も実行するようにしたので、静止画撮影処理により得られる静止画データの品質を向上させることができる。
また、請求項９の発明にあっては、動画撮影停止指示によりスルー画像表示処理も実行するようにしたので、ユーザはこのスルー画像を視認することにより静止画撮影処理のための画角調整を行なうことができる。
また、請求項１０の発明にあっては、静止画撮影処理が完了した後、撮影装置を動かすことにより動画撮影処理を停止させる前のフレーミング状態に戻してから動画撮影処理を再開させることができるので、動画撮影処理を停止する直前の動画フレームと動画撮影処理を再開した直後の動画フレームとで画角を一致させるといったことが可能になる。
【００５９】
また、請求項１１の発明にあっては、静止画撮影を指示するためのシャッターボタンの半押し操作の解除により動画撮影処理の再開を指示することができ、操作性を向上させることができる。
【００６０】
また、請求項１２の発明にあっては、静止画撮影処理により欠落した動画フレームが代替フレームによって補充されることにより、途中で静止画撮影処理がなかったときと同様のフレーム数の動画が作成される。したがって、記録された動画の再生時間を実際の撮影時間と同じ時間にすることができるようにした。よって、使い勝手が向上する。
また、請求項１３の発明にあっては、静止画撮影処理により動画撮影処理が中断された期間に中断前と同様の被写体が存在する動画のファイルが取得できるようにした。よって、中断時間が短い場合においては、より自然な動画を取得することが可能となる。
また、請求項１４の発明にあっては、静止画撮影処理により動画撮影処理が中断されていた期間中における静止画撮影処理により得られた被写体が存在する動画のファイルが取得できるようにした。よって、動画撮影処理により得られる動画データの品質を向上させることができる。
また、請求項１５の発明にあっては、撮影時間と全く同一の再生時間を有する動画のファイルが取得できるようにした。よって、使い勝手が向上する。
【００６１】
また、請求項１６の発明にあっては、静止画撮影処理により動画撮影処理が中断された期間中において録音された音声を取得することができるので、動画撮影処理により得られる動画データの品質を向上させることができる。
【００６２】
また、請求項１７の発明にあっては、静止画撮影処理により動画撮影処理が中断された期間中において録音された実際の音声が付属する音声付き動画のファイルを記録するので、記録した音声付き動画を再生する際、動画撮影処理が中断された期間中の再生品質を補うことができる。
【００６３】
また、請求項１８の発明にあっては、静止画撮影によって一時的に撮影が中断された動画であっても、単一の動画ファイルとして生成されて記録される。したがって、動画を再生する際、分断された対をなす２つの動画ファイルを連続して再生させる作業を強いられるといったことがなくなる。
【００６４】
また、請求項１９の発明にあっては、録音音声中に音声ノイズが混入するのを防止することができるので、録音処理により得られる音声データの品質を向上させることができる。
また、請求項２０の発明にあっては、録音音声中に撮影準備処理の実行に伴い発生する報知音が混入するのを防止することができるので、録音処理により得られる音声データの品質を向上させることができる。
また、請求項２１の発明にあっては、録音音声中に静止画撮影処理の実行に伴い発生する報知音が混入するのを防止することができるので、録音処理により得られる音声データの品質を向上させることができる。
また、請求項２２の発明にあっては、動画撮影処理が中断される時間の長期化を回避することができるようにした。よって、静止画撮影処理によって一時的に動画撮影処理が中断される場合であっても、より自然な動画、又は音声付き動画を取得することが可能となる。
【００６５】
また、請求項２３の発明にあっては、ユーザに静止画の撮影指示を促すことにより動画撮影処理が中断される時間の長期化を回避することができる。
また、請求項２４の発明にあっては、動画撮影処理が中断される時間の長期化を確実に防止することができるようにした。よって、静止画撮影処理によって一時的に動画撮影処理が中断される場合であっても、より一層自然な動画又は音声付き動画を取得することが可能となる。
【００６６】
また、請求項２５の発明にあっては、１回の割り込み処理中に何度でも静止画撮影処理を実行することができるので、動画撮影処理中において静止画撮影処理を実行する際の利便性を向上させることができる。
また、請求項２６の発明にあっては、動画撮影処理が中断される時間の長期化を回避することができるようにした。よって、静止画撮影処理によって一時的に動画撮影処理が中断される場合であっても、より自然な動画、又は音声付き動画を取得することが可能となる。
また、請求項２７の発明にあっては、動画撮影処理が中断される時間の長期化を確実に防止することができるようにした。よって、静止画撮影処理によって一時的に動画撮影処理が中断される場合であっても、より一層自然な動画又は音声付き動画を取得することが可能となる。
【００６７】
また、請求項２８の発明にあっては、割り込み処理中におけるユーザによる静止画撮影指示によりユーザが必要とする回数の静止画撮影処理を実行することができる。
【００６８】
また、請求項３０の発明にあっては、それを用いることにより、既存するデジタルカメラ等の撮影装置によって本発明を実施することが可能となる。
【発明を実施するための最良の形態】
【００６９】
以下、本発明の一実施の形態を図にしたがって説明する。
（第１の実施の形態）
図１は、通常の静止画撮影機能に加え動画撮影機能、音声付きの動画撮影機能を備えたデジタルカメラ１の概略構成を示すブロック図である。デジタルカメラ１は、ＣＣＤ２とＤＳＰ／ＣＰＵ３とを有している。ＤＳＰ／ＣＰＵ３は、画像データの圧縮・伸張、音声データの処理を含む各種のデジタル信号処理機能を有するとともにデジタルカメラ１の各部を制御するワンチップマイコンである。
【００７０】
ＤＳＰ／ＣＰＵ３には、ＣＣＤ２を駆動するＴＧ（Timing Generator）４が接続されており、ＴＧ４には、ＣＣＤ２から出力される被写体の光学像に応じたアナログの撮像信号が入力するユニット回路５が接続されている。ユニット回路５は、ＣＣＤ２から出力される撮像信号を相関二重サンプリングして保持するＣＤＳ（Correlated Double Sampling）回路、その撮像信号を増幅するゲイン調整アンプ（ＡＧＣ）、増幅後の撮像信号をデジタル信号に変換するＡ／Ｄ変換器（ＡＤ）から構成されており、ＣＣＤ２の出力信号はユニット回路５を経てデジタル信号としてＤＳＰ／ＣＰＵ３に送られる。
【００７１】
ＤＳＰ／ＣＰＵ３には、表示装置６、キー入力部７、音声処理部８が接続されるとともに、アドレス・データバス９を介してＤＲＡＭ１０、内蔵フラッシュメモリ１１、カード・インターフェイス１２が接続されており、カード・インターフェイス１２には、デジタルカメラ１の本体の図示しないスロットルに装着された着脱自在なメモリ・カード１３が接続されている。
【００７２】
表示装置６はカラーＬＣＤとその駆動回路とを含み、撮影待機状態にあるときにはＣＣＤ２によって撮像された被写体画像をスルー画像として表示し、記録画像の再生時には保存用メモリであるメモリ・カード１３から読み出され伸張された記録画像（静止画又は動画）を表示する。キー入力部７はシャッターボタン、動画撮影に使用する録画開始／終了ボタン、電源キー、ＭＥＮＵキー等の複数の操作キーを含み、使用者によるキー操作に応じたキー入力信号をＤＳＰ／ＣＰＵ３に出力する。なお、シャッターボタンは半押し状態と、全押し状態とにおいて異なる出力信号が出力される２段階スイッチである。
【００７３】
音声処理部８は、内蔵マイク、アンプ、Ａ／Ｄ変換器、内蔵スピーカー、Ｄ／Ａ変換器等を含み、音声付きの静止画又は動画の撮影時には、内蔵マイクに入力した音声をデジタル信号に変換してＤＳＰ／ＣＰＵ３へ送る。ＤＳＰ／ＣＰＵ３へ送られた音声データはＤＲＡＭ１０に順次蓄積され、最終的には、ＤＳＰ／ＣＰＵ３によって生成された画像データと共にメモリ・カード１３に記録される。また、音声処理部８は、音声付きの静止画又は動画の再生時には、各画像に付属する音声データに基づく音声を再生して内蔵スピーカから音声出力する。また、必要に応じ、内蔵スピーカーにより各種の報知音を放音する。
【００７４】
ＤＲＡＭ１０は、ＣＣＤ２により撮像された後、デジタル化された被写体の画像データ等を一時記憶するバッファメモリであるとともに、ＤＳＰ／ＣＰＵ３のワーキングメモリとしても使用される。内蔵フラッシュメモリ１１には、ＤＳＰ／ＣＰＵ３による各部の制御に必要な制御プログラム、すなわちＡＦ（オートフォーカス制御）やＡＥ（自動露出制御）等を含む各種の制御に必要なプログラム、及び各制御に必要なデータが記憶されており、ＤＳＰ／ＣＰＵ３は前記プログラムに従い動作することにより、本発明の制御手段、動画ファイル生成手段、タイマ手段、報知音制御手段、特定動作制御手段として機能する。
【００７５】
次に、以上の構成からなるデジタルカメラ１における動作を説明する。図２〜図４は、ユーザーがＭＥＮＵキーの操作によって所定の撮影モードを設定したときのＤＳＰ／ＣＰＵ３の処理手順を示すフローチャートである。
【００７６】
ＤＳＰ／ＣＰＵ３は、上記撮影モードが設定されると、ＣＣＤ２による撮像を開始して被写体のスルー画像を表示装置６に表示させ（ステップＳ１）、録画開始ボタンの操作や、シャッターボタンの半押し操作があるまでの間、スルー画像の表示処理を繰り返す（ステップＳ２，Ｓ３が共にＮＯ）。その後、録画開始ボタンが操作されると（ステップＳ２でＹＥＳ）、ステップＳ１３以降の音声付き動画撮影処理に移行し、シャッターボタンの半押し操作があると（ステップＳ３でＹＥＳ）、図３に示したステップＳ４〜Ｓ１３の静止画撮影処理に移行する。
【００７７】
まず、静止画撮影処理について説明する。ＤＳＰ／ＣＰＵ３は、シャッターボタンの半押し操作に応じ（ステップＳ３でＹＥＳ）、ＡＦ処理及びＡＥ処理により撮影条件の設定を行う（ステップＳ４）。それが完了したら（ステップＳ５でＹＥＳ）、その旨をユーザーに知らせるため音声処理部８のスピーカによる報知音の放音、及び表示装置６によるメッセージ等の報知表示を行った後（ステップＳ６）、設定した撮影条件でＣＣＤ２による撮像を開始し、表示装置６にスルー画像を表示させる（ステップＳ７）。ここで、シャッターボタンの全押し操作がなく、シャッターボタンの半押し操作が継続されている間は、ステップＳ７へ戻りスルー画像の表示処理を継続する（ステップＳ８でＮＯ、ステップＳ９でＹＥＳ）。
【００７８】
その後、スルー画像を表示する間にシャッターボタンの全押し操作があると（ステップＳ８でＹＥＳ）、予め内蔵フラッシュメモリ１１に記憶されている疑似シャッター音を音声処理部８のスピーカから出力した後（ステップＳ１０）、ＣＣＤ２による被写体画像の記録用の撮像、及びその画像データの生成等の静止画撮影処理を開始する（ステップＳ１１）。すなわち、ＣＣＤ２に、比較的長い出力撮像タイミングで１画面中の偶数ラインの画素信号と、奇数ラインの画素信号を順に出力させて、全画素分のデータをバッファメモリ（ＤＲＡＭ１０）に取り込み、取り込んだ画像データを圧縮する処理を開始する。そして、それが完了したら（ステップＳ１２でＹＥＳ）、圧縮した画像データに基づく静止画ファイル（ＪＰＥＧ形式等のファイル）を生成し、メモリ・カード１３に記憶する（ステップＳ１３）。これにより静止画撮影処理を終了してステップＳ１へ戻る。つまり通常の静止画撮影モードでの処理と同様の、ごく一般的な処理により静止画を撮影して記録する。なお、スルー画像を表示する間にシャッターボタンの半押しが解除された場合には（ステップＳ９でＮＯ）、その時点で直ちに静止画撮影処理を終了しステップＳ１へ戻る。
【００７９】
次に、音声付き動画撮影処理について説明する（以下、図２及び図４参照）。ＤＳＰ／ＣＰＵ３は、前述した撮影モードの設定直後におけるスルー画像の表示状態でユーザにより録画開始ボタンが操作されると（ステップＳ２でＹＥＳ）、所定のフレームレート（１／３０秒等の固定周期）で画像（動画フレーム）を撮像しバッファメモリに記憶する動画記録処理と、音声処理部８の内蔵マイクに入力した音声の音声データへの変換、バッファメモリへの記憶といった音声録音処理とを開始する（ステップＳ１４）。なお、動画記録処理における動画フレームの撮像に際しては、ＣＣＤ２に、比較的短い出力タイミングで１画面中の奇数ラインの画素信号のみを出力させ、その奇数ラインの画素データをバッファメモリ（ＤＲＡＭ１０）に取り込み、取り込んだ画像データを所定の画素数に間引く処理を行う。
【００８０】
その後、シャッターボタンが半押しされたり、録画終了ボタンが操作されるまでスルー画像表示処理（ステップＳ１５）、動画記録処理および音声録音処理を継続する（ステップＳ１６，Ｓ１７が共にＮＯ）。やがて、録画終了ボタンが操作されたら（ステップＳ１７でＹＥＳ）、それまでの間にバッファメモリ上に展開されている動画データ、すなわち周期的に撮像された複数のフレーム画像と、音声データを用いて音声付き動画ファイル（ｍｏｔｉｏｎ−ｊｐｅｇ形式等のファイル）を生成し、メモリ・カード１３に記憶する（ステップＳ１８）。これにより音声付き動画撮影処理をいったん終了してステップＳ１へ戻る。つまり通常の音声付き動画撮影モードでの処理と同様の処理により動画を記録する。なお、音声付き動画ファイルの生成時において、音声データは動画のフレーム単位（フレーム周期）で時間軸方向に分割されてファイリングやパケット化が行われるとともに、動画ファイルのヘッダ上の時刻情報によってフレーム画像と同期化される。なお、動画ファイルとは別個に音声ファイルを生成し、これらを関連付けて記録するようにしてもよい。
【００８１】
一方、ＤＳＰ／ＣＰＵ３は、スルー画象表示処理、動画記録処理および音声録音処理を継続する間にシャッターボタンの半押し操作があると（ステップＳ１６でＹＥＳ）、以下の処理を実行する。なお、図５は、以下の処理に対応するデジタルカメラ１の動作を示すタイミングチャートである。
【００８２】
まず、ＤＳＰ／ＣＰＵ３は、経過時間の計測を開始するとともに、撮影枚数をカウントするためのカウンタの値ｎを０にリセットした後（ステップＳ１９）、その時点、つまりシャッターボタンが半押しされた時点（図５でＡＦトリガがあった時点）の動画フレーム周期が終了するタイミングで、ステップＳ１４で開始した動画記録処理を、シャッターボタンが半押しされる直前のフレームデータ（図５では「撮像ディバイス出力フレーム」）を、繰り返し使用する処理に切り替える（ステップＳ２０）。つまり後述する割り込みによる静止画撮影処理を行う間に動画フレーム周期でバッファメモリに蓄積するフレームデータを、撮像により取得されるフレームデータから、シャッターボタンが半押しされる直前のフレームデータのコピー（以下、代替フレームという）に切り替える。なお、音声録音処理はそのまま継続する。しかる後、図４に示したステップＳ２１〜Ｓ３０による以下の割り込みによる静止画撮影処理を実行する。
【００８３】
まず、ＣＣＤ２から出力される撮像信号に基づき静止画撮影用のＡＦ処理及びＡＥ処理を実行し、撮影条件の設定を行う（ステップＳ２１、図５では「ＡＦ動作」）。そして、撮影条件の設定が完了したら（ステップＳ２０でＹＥＳ）、前述した通常の静止画撮影処理のステップＳ６における報知音の放音や報知表示を行うことなく、設定した撮影条件でＣＣＤ２による撮像を開始しスルー画像を表示する（ステップＳ２３、図５では「静止画モニタリング用動作」）。なお、報知表示は音声録音処理に支障はないので行なうようにしてもよい。その後、シャッターボタンの全押し操作があれば（ステップＳ２４でＹＥＳ）、前述した通常の静止画撮影処理のステップＳ１０における疑似シャッター音の出力処理を行うことなく、前述したステップＳ１１と同様に、ＣＣＤ２による記録用の被写体画像の撮像、及びその画像データの生成等の静止画撮影処理を開始し（ステップＳ２５、図５では「静止画撮影用動作」）、それが完了したら（ステップＳ２６でＹＥＳ）、バッファメモリ上で画像データに基づく静止画ファイル（ＪＰＥＧ形式等のファイル）を生成し、メモリ・カード１３に記憶するとともに（ステップＳ２７）、撮影枚数を示すカウンタの値を「＋１」することによりカウントアップする（ステップＳ３１）。これにより割り込みによる静止画撮影処理を終了する。
【００８４】
また、ステップＳ２３でスルー画像を表示した後、シャッターボタンが全押しされるまでの間は（ステップＳ２４でＮＯ）、シャッターボタンの半押し操作が継続され、かつ前述したステップＳ１９で計測を開始した経過時間が予め決められている所定時間に達していなければ、ステップＳ２３へ戻りスルー画像の表示処理を継続する（ステップＳ２８でＹＥＳ、ステップＳ２９でＮＯ）。但し、その間にシャッターボタンの半押し操作が解除されれば（ステップＳ２８でＮＯ）、その時点で直ちに割り込みによる静止画撮影処理を終了する。また、計測中の経過時間が所定時間（例えば１０秒）に達したときには（ステップＳ２９でＹＥＳ）、動画記録処理に強制復帰させる旨のメッセージをスルー画像上に表示した後（ステップＳ３０）、割り込みによる静止画撮影処理を終了する。
【００８５】
その後、静止画撮影を終了した時点において、シャッターボタンが半押しされていなければ（ステップＳ３２でＮＯ）、次の動画フレーム周期の到来を待つとともに（図５の「ダミー」の期間）、それが到来した時点で（ステップＳ３４でＹＥＳ）、それまでの動画フレーム周期に合わせたタイミングで、つまりそれまでの動画フレーム周期に同期させて、通常の動画記録処理を再開する（ステップＳ３５、図５では「動画撮影用動作」）。しかる後、前述した図２のステップＳ１５へ戻り、録画終了ボタンが操作されるまでスルー画像表示処理、動画記録処理および音声録音処理を継続し（ステップＳ１６，Ｓ１７が共にＮＯ）、録画終了ボタンが操作されたら（ステップＳ１７でＹＥＳ）、それまでにバッファメモリに蓄積されている、前述した代替フレームを含む動画データと音声データを用いて音声付き動画ファイルを生成し、メモリ・カード１３に記憶する（ステップＳ１８）。
【００８６】
これにより、音声付き動画撮影処理をいったん終了してステップＳ１へ戻り、以後、同様の動作を撮影モードが解除されるまで繰り返す。また、ステップＳ２７で静止画撮影を終了した時点において、シャッターボタンが半押しされていたときには（ステップＳ３２でＹＥＳ）、続くステップＳ３３で撮影枚数を示すカウンタの値が「３」に達しているか否かを判断し、達していなければ動画記録処理を再開することなく、そのままステップＳ２１からの静止画撮影処理のための準備処理に移行する。
【００８７】
また、ステップＳ３３で撮影枚数を示すカウンタの値が「３」に達していると判断された場合は、ステップＳ３０に移行して、動画記録処理に強制復帰させる旨のメッセージをスルー画像上に表示した後、割り込みによる静止画撮影処理を終了する。
【００８８】
以上のように本実施の形態においては、撮影中に、割り込みによる静止画撮影処理を行って静止画を記録した場合であっても、そのとき撮影した動画は、通常の動画撮影時と同様の単一の動画ファイルとして記録される。よって、記録した動画ファイル（音声付き動画ファイル）は、そのまま通常の動画ファイルと同様に他のカメラやパーソナルコンピュータにおいて再生することができる。つまりその使用が煩雑であったり、使用環境が制限されたりすることがないという効果がある。
【００８９】
また、静止画撮影処理によって動画フレームの撮像動作が中断している期間においても、中断直前のフレームデータのコピー（代替フレーム）が記録されており、しかも割り込みによる静止画撮影処理の終了後には、それまでの動画フレーム周期に同期させて通常の動画撮影処理を再開するため、記録された動画の再生時間を実際の撮影時間と完全に一致させることができ、使い勝手がよい。特に、静止画撮影での中断時間が短い場合においては、より自然な動画を記録することができる。
【００９０】
また、動画フレームの撮像動作が中断している間においても、音声録音処理を継続して行っているため、撮影した動画の再生時には、代替フレームが再生される期間に実際の音声を聞くことができる。したがって、より自然な音声付き動画を撮影することができる。しかも、割り込みによる静止画撮影処理では、通常の静止画撮影処理における報知音や疑似シャッター音の出力が禁止されているため、上記報知音や疑似シャッター音が録音音声中に混入してしまうこともない。よって、質の良い音声付きの動画を記録することができる。
【００９１】
また、動画撮影処理を停止させてから再び動画撮影処理を再開するまでに、所定時間が経過してしまった場合や所定枚数分の静止画撮影を行ってしまった場合には、動画撮影処理への強制復帰を、その旨を知らせるメッセージ表示とともに行うため、動画フレームの撮像動作（動画撮影処理）が中断される時間の長期化を確実に防止することができる。よって、静止画撮影によって一時的に動画撮影が中断された場合であっても、ユーザーに、それをあまり意識させることなく、前述した代替フレームの挿入期間、つまり動画の途中で画像が停止する期間が長くならない、より一層自然な音声付き動画を記録させることができる。
【００９２】
なお、本実施の形態では、前述した所定時間が経過したとき、又は所定枚数分の静止画撮影を終了したとき、メッセージ表示とともに通常の動画撮影処理へ強制復帰させるようにしたが（図４のステップＳ２９，Ｓ３０，Ｓ３３，Ｓ３４，Ｓ３５）、メッセージ表示（アラーム音等の報知音でもよい）のみを行うようにしてユーザに静止画撮影操作あるいは動画撮影復帰操作を促すようにしたり、メッセージ表示を行うことなく動画撮影処理を再開するようにしてもよい。また、先にメッセージ表示し、その後更に一定時間が経過した段階で通常の動画撮影処理へ強制復帰させるようにしてもよい。
【００９３】
また、動画撮影中に静止画撮影が行われ、それが終了した時点でシャッターボタンが半押しされていたときには（ステップＳ３２でＹＥＳ，Ｓ３３でＮＯ）、動画撮影処理を再開することなく、そのまま静止画撮影を繰り返して（連続して）行うことができるようにしたことから、それによっても使い勝手がよい。
【００９４】
なお、本実施の形態では、音声付き動画撮影を行うものに本発明を適用したが、後述する第２の実施の形態のように、音声無し動画撮影に本発明を適用してもよい。
【００９５】
（第２の実施の形態）
次に本発明の第２の実施の形態を説明する。本実施の形態は、音声無し動画撮影に本発明を適用した場合に関するものである。
【００９６】
以下、図１に示したものと同様の構成を備えたデジタルカメラにおける動画撮影モードでの動作を、図６のタイミングチャートに従い説明する。なお、本実施の形態においては、動画撮影中における１回の割り込み処理において静止画撮影を２回だけ連続して行うことができる動画撮影モードが設けられ、その動作に必要なプログラムが前記内蔵フラッシュメモリ１１に格納された構成を有している。
【００９７】
デジタルカメラ１は、動画撮影処理中に、ユーザーによりキー入力部７の所定のボタンが押されると、それを動画静止画兼用トリガとして、それまでの（通常の）動画撮影処理を、直前のフレームデータ（図では「撮像ディバイス出力フレーム」）を繰り返し使用する処理に切り替え、それ以降は、所定のボタンが押される直前の動画用のフレームデータのコピーである代替フレームを動画フレーム周期でバッファメモリに蓄積させる。以後、割り込みによる静止画撮影モードに移行し、静止画モニタリング動作を行い表示装置６にスルー画像を表示する。
【００９８】
引き続き、その状態でシャッターボタンの半押し操作があると、それをＡＦトリガとして静止画撮影用のＡＦ処理及びＡＥ処理を行い（図では「ＡＦ動作」）、その後、シャッターボタンの全押し操作があると、それをシャッタートリガとして通常の静止画撮影処理を行い、バッファメモリ上において静止画ファイルを生成して、それをメモリ・カード１３に記憶する。また、このときバッファメモリ上にある静止画像データから動画用のフレームデータを生成し、動画撮影処理の停止直前の動画用のフレームデータを代替フレームとして使用する処理から、そこで生成したフレームデータを新たな代替フレームとして使用する処理に切り替える。そして、静止画モニタリング動作を再開するとともに、上記と同様の手順で２回目の静止画撮影を行った後、１回の割り込みによる静止画撮影処理を終了する。
【００９９】
また、割り込みによる静止画撮影処理を終了した後には、動画撮影のフレーム周期の到来を待つとともに（図の「ダミー」の期間）、それが到来した時点で通常の動画撮影処理を再開する。但し、再開直後の動画フレームについては、ＣＣＤ２の動画撮影用の動作により新たな動画フレームが得られるのを待たずに、２回目の静止画撮影で取得されたバッファメモリ上にある画像データから生成したフレームデータを使用する。そして、通常の動画撮影処理を再開した後には、録画終了ボタンが押された時点で、それまでにバッファメモリに蓄積されている、前述した２種類の代替フレームを含む各フレームデータを用いて動画ファイルを生成し、メモリ・カード１３に記憶する。
【０１００】
したがって、本実施の形態においても、撮影中に、割り込みによる静止画撮影処理を行って静止画を記録した場合であっても、そのとき撮影した動画は、通常の動画撮影時と同様の単一の動画ファイルとして記録される。よって、記録した動画ファイル（音声無し動画ファイル）は、そのまま通常の動画ファイルと同様に他のカメラやパーソナルコンピュータにおいて再生することができる。よって、第１の実施の形態と同様の効果が得られる。
【０１０１】
なお、本実施の形態においては、第１の実施の形態と異なり、静止画撮影処理によって動画フレームの撮像動作が中断している期間中に記憶する代替フレームを、静止画撮影処理が終了する以前は、動画フレームの撮像動作が中断する直前のフレームデータのコピーとし、かつ静止画撮影が終了した後には、その撮像した静止画から生成したフレームデータとしているが、係る場合においても、記録された動画の再生時間を実際の撮影時間と完全に一致させることができ、使い勝手がよい。特に、静止画撮影での中断時間が短い場合においては、より自然な動画を記録することができる。なお、動画撮影処理が中断している期間中に使用される代替フレームを、静止画撮影処理により得られた静止画像データから生成した代替フレームのみとしたり、あるいは動画撮影処理の停止直前の動画用のフレームデータのみとしてもよい。
【０１０２】
また、本実施の形態では、動画撮影中における１回の割り込み処理において静止画撮影を２回だけ連続して行うことができる動画撮影モードが設けられているものを示したが、第１の実施の形態のように、１回の割り込み処理において静止画撮影を何度でも連続して行うことができるものにおいても、本実施の形態と同様の２種類の代替フレームを含む各フレームデータを用いて動画ファイルを生成し記憶する構成としてもよい。その場合には、動画撮影中における１回の割り込み処理において静止画撮影が複数回連続して行われることにより、動画フレームの撮像動作が中断される期間が長かったときでも、撮影した動画の再生時には、静止画から生成した内容の異なる複数種の代替フレームによって被写体の動きを表現することができる。よって、より一層自然な動画を記録することが可能となる。
【０１０３】
なお、本実施の形態においても、割り込みによる静止画撮影処理に移行した後、通常の動画撮影処理を再開するまでに所定時間が経過した場合には、通常の動画撮影処理への強制復帰を、それを教えるメッセージとともに行うようにしてもよい。
【０１０４】
（第３の実施の形態）
次に本発明の第３の実施の形態を説明する。本実施の形態は、連写撮影機能を有したデジタルカメラに本発明を適用した場合に関するものである。
以下、図１に示したものと同様の構成を備えたデジタルカメラにおける所定の撮影モードでの動作を説明する。なお、本実施の形態においては、動画撮影中における１回の割り込み処理において連写を実行できる動画撮影モードが設けられ、その動作に必要なプログラムが前記内蔵フラッシュメモリ１１に格納された構成を有している。
【０１０５】
図７〜図９は、ユーザーがＭＥＮＵキーの操作によって所定の撮影モードを設定したときのＤＳＰ／ＣＰＵ３の処理手順を示すフローチャートである。
【０１０６】
ＤＳＰ／ＣＰＵ３は、上記撮影モードが設定されると、ＣＣＤ２による撮像を開始して被写体のスルー画像を表示装置６に表示させ（ステップＡ１）、録画開始ボタンの操作や、シャッターボタンの半押し操作があるまでの間、スルー画像の表示処理を繰り返す（ステップＡ２，Ａ３が共にＮＯ）。その後、録画開始ボタンが操作されると（ステップＡ２でＹＥＳ）、ステップＡ１１以降の音声付き動画撮影処理に移行し、シャッターボタンの全押し操作があると（ステップＡ３でＹＥＳ）、図８に示したステップＡ４〜Ａ１０の静止画撮影処理（連写処理）に移行する。
【０１０７】
この静止画撮影処理について説明する。ＤＳＰ／ＣＰＵ３は、シャッターボタンの全押し操作に応じ（ステップＡ３でＹＥＳ）、先ず撮影枚数をカウントするためのカウンタをリセットしてカウンタの値を「０」にした後（ステップＡ４）、ＣＣＤ２による被写体画像の記録用の撮像、及びその画像データの生成等の静止画撮影処理を開始する（ステップＡ５）。すなわち、ＣＣＤ２に、比較的長い出力撮像タイミングで１画面中の偶数ラインの画素信号と、奇数ラインの画素信号を順に出力させて、全画素分のデータをバッファメモリ（ＤＲＡＭ１０）に取り込み、取り込んだ画像データを圧縮する処理を開始する。そして、それが完了したら（ステップＡ６でＹＥＳ）、圧縮した画像データに基づく静止画ファイル（ＪＰＥＧ形式等のファイル）を生成し、メモリ・カード１３に記憶する（ステップＡ７）。この静止画撮影処理が終了した後、撮影枚数を示すカウンタの値を「＋１」することによりカウントアップした後（ステップＡ８）、続くステップＡ９で撮影枚数を示すカウンタの値が「１０」に達しているか否か、つまり連写枚数が１０枚に達しているか否かを判断し、達していると判断された場合には、その時点で直ちに連写処理を強制終了してステップＡ１のスルー画象表示処理へ戻る。
【０１０８】
また、ステップＡ９で達していないと判断された場合にはステップＡ１０に進み、シャッターボタンの全押し操作が継続されているか否かが判断され、シャッターボタンの全押しが解除されたと判断された場合には（ステップＡ１０でＮＯ）、その時点で直ちに連写処理を終了してステップＡ１のスルー画象表示処理へ戻る。
【０１０９】
また、ステップＡ１０でシャッターボタンの全押し操作が継続されていると判断された場合には（ステップＡ１０でＹＥＳ）、ステップＡ５に戻り静止画撮影処理を開始し、以後、ステップＡ９でカウンタの値が「１０」に達したと判断されるか、あるいはステップＡ１０でシャッターボタンの全押しが解除されたと判断されるまでステップＡ５〜Ａ８の処理を繰り返すことにより連写処理が続行される。但し、シャッターボタンの全押し操作から全押しが解除されるまでの時間が極端に短い場合には連写処理を行うことなく１回のみ静止画撮影処理（単写処理）が実行される。
【０１１０】
次に、音声付き動画撮影処理について説明する（以下、図７及び図９参照）。ＤＳＰ／ＣＰＵ３は、前述した撮影モードの設定直後におけるスルー画像の表示状態でユーザにより録画開始ボタンが操作されると（ステップＡ２でＹＥＳ）、所定のフレームレート（１／３０秒等の固定周期）で画像（動画フレーム）を撮像しバッファメモリに記憶する動画記録処理と、音声処理部８の内蔵マイクに入力した音声の音声データへの変換、バッファメモリへの記憶といった音声録音処理とを開始する（ステップＡ１１）。なお、動画記録処理における動画フレームの撮像に際しては、ＣＣＤ２に、比較的短い出力タイミングで１画面中の奇数ラインの画素信号のみを出力させ、その奇数ラインの画素データをバッファメモリ（ＤＲＡＭ１０）に取り込み、取り込んだ画像データを所定の画素数に間引く処理を行う。
【０１１１】
その後、シャッターボタンが全押しされたり、録画終了ボタンが操作されるまでスルー画像表示処理（ステップＡ１２）、動画記録処理および音声録音処理を継続する（ステップＡ１３，Ａ１４が共にＮＯ）。やがて、録画終了ボタンが操作されたら（ステップＡ１４でＹＥＳ）、それまでの間にバッファメモリ上に展開されている動画データ、すなわち周期的に撮像された複数のフレーム画像と、音声データを用いて音声付き動画ファイル（ｍｏｔｉｏｎ−ｊｐｅｇ形式等のファイル）を生成し、メモリ・カード１３に記憶する（ステップＡ１５）。これにより音声付き動画撮影処理をいったん終了してステップＡ１へ戻る。つまり通常の音声付き動画撮影モードでの処理と同様の処理により動画を記録する。なお、音声付き動画ファイルの生成時において、音声データは動画のフレーム単位（フレーム周期）で時間軸方向に分割されてファイリングやパケット化が行われるとともに、動画ファイルのヘッダ上の時刻情報によってフレーム画像と同期化される。なお、動画ファイルとは別個に音声ファイルを生成し、これらを関連付けて記録するようにしてもよい。
【０１１２】
一方、ＤＳＰ／ＣＰＵ３は、スルー画象表示処理、動画記録処理および音声録音処理を継続する間にシャッターボタンの全押し操作があると（ステップＡ１３でＹＥＳ）、以下の処理を実行する。
【０１１３】
まず、ＤＳＰ／ＣＰＵ３は、経過時間の計測を開始するとともに、撮影枚数をカウントするためのカウンタの値ｎを０にリセットした後（ステップＡ１６）、その時点、つまりシャッターボタンが全押しされた時点の動画フレーム周期が終了するタイミングで、ステップＡ１１で開始した動画記録処理を、シャッターボタンが全押しされる直前のフレームデータを、繰り返し使用する処理に切り替える（ステップＡ１７）。つまり後述する割り込みによる静止画撮影処理（連写処理）を行う間に動画フレーム周期でバッファメモリに蓄積するフレームデータを、撮像により取得されるフレームデータから、シャッターボタンが全押しされる直前のフレームデータのコピー（以下、代替フレームという）に切り替える。なお、音声録音処理はそのまま継続する。しかる後、図９に示したステップＡ１８〜Ａ２７による以下の割り込みによる静止画撮影処理（連写処理）を実行する。
【０１１４】
まず、前述したステップＡ５と同様に、ＣＣＤ２による記録用の被写体画像の撮像、及びその画像データの生成等の静止画撮影処理を開始し（ステップＡ１８）、それが完了したら（ステップＡ１９でＹＥＳ）、バッファメモリ上で画像データに基づく静止画ファイル（ＪＰＥＧ形式等のファイル）を生成し、メモリ・カード１３に記憶するとともに（ステップＡ２０）、撮影枚数を示すカウンタの値を「＋１」することによりカウントアップする（ステップＡ２１）。続くステップＡ２２で撮影枚数を示すカウンタの値が「３」に達しているか否か、つまり連写枚数が３枚に達しているか否かを判断し、達していると判断された場合には、動画記録処理に強制復帰させる旨のメッセージをスルー画像上に表示した後（ステップＡ２３）、割り込み処理による連写処理を終了する。ここで、割り込み処理による連写処理の最大連写枚数を、通常の連写処理の最大連写枚数１０枚よりも少ない３枚としているのは、動画撮影処理の中断時間を極力短くするためである。
【０１１５】
また、ステップＡ２２で連写枚数が３枚に達していないと判断された場合にはステップＡ２４に進み、前述したステップＡ１６で計測を開始した経過時間が予め決められている所定時間に達したか否かが判断される。ここで、計測中の経過時間が所定時間（例えば１０秒）に達したと判断されたときには（ステップＡ２４でＹＥＳ）、動画記録処理に強制復帰させる旨のメッセージをスルー画像上に表示した後（ステップＡ２３）、割り込み処理による連写処理を終了する。
【０１１６】
また、ステップＡ２４で経過時間が所定時間に達していないと判断された場合にはステップＡ２５に進み、シャッターボタンの全押し操作が継続されているか否かが判断され、シャッターボタンの全押しが解除されたと判断された場合には（ステップＡ２５でＮＯ）、その時点で直ちに割り込み処理による連写処理を終了する。
【０１１７】
また、ステップＡ２５でシャッターボタンの全押し操作が継続されていると判断された場合には（ステップＡ２５でＹＥＳ）、ステップＡ１８に戻り静止画撮影処理を開始し、以後、ステップＡ２２でカウンタの値が「３」に達したと判断されるか、あるいはステップＡ２４で経過時間が所定時間に達したと判断されるか、あるいはステップＡ２５でシャッターボタンの全押しが解除されたと判断されるまでステップＡ１８〜Ａ２１の処理を繰り返すことにより連写処理が続行される。但し、シャッターボタンの全押し操作から全押しが解除されるまでの時間が極端に短い場合には連写処理を行うことなく１回のみ静止画撮影処理（単写処理）が実行される。
また、ステップＡ２２でカウンタの値が「３」に達したと判断された場合、あるいはステップＡ２４で経過時間が所定時間に達したと判断された場合、あるいはステップＡ２５でシャッターボタンの全押しが解除されたと判断された場合、ステップＡ２６に進み、次の動画フレーム周期の到来を待つとともに、それが到来した時点で（ステップＡ２６でＹＥＳ）、それまでの動画フレーム周期に合わせたタイミングで、つまりそれまでの動画フレーム周期に同期させて、通常の動画記録処理を再開する（ステップＡ２７）。しかる後、前述した図７のステップＡ１２へ戻り、録画終了ボタンが操作されるまでスルー画像表示処理、動画記録処理および音声録音処理を継続し（ステップＡ１３，Ａ１４が共にＮＯ）、録画終了ボタンが操作されたら（ステップＡ１４でＹＥＳ）、それまでにバッファメモリに蓄積されている、前述した代替フレームを含む動画データと音声データを用いて音声付き動画ファイルを生成し、メモリ・カード１３に記憶する（ステップＡ１５）。
【０１１８】
これにより、音声付き動画撮影処理をいったん終了してステップＡ１へ戻り、以後、同様の動作を撮影モードが解除されるまで繰り返す。
【０１１９】
以上のように本実施の形態においては、シャッターボタンの全押し操作を継続することにより静止画撮影処理を連続して実行できる、すなわち連写処理を実行できるようにしたので、割り込み処理により複数回の静止画撮影を行いたい場合に動画撮影処理の中断時間を大幅に短縮することができるという効果がある。
【０１２０】
（第４の実施の形態）
次に本発明の第４の実施の形態を説明する。本実施の形態は、シャッターボタンの半押し操作によりＡＦ・ＡＥ処理を開始した後も動画撮影処理を続行し、シャッターボタンの全押し操作により静止画の撮影が指示された時点で動画撮影処理を停止するものである。
以下、図１に示したものと同様の構成を備えたデジタルカメラにおける所定の撮影モードでの動作を説明する。
【０１２１】
図１０、図１１は、ユーザーがＭＥＮＵキーの操作によって所定の撮影モードを設定したときのＤＳＰ／ＣＰＵ３の処理手順を示すフローチャートである。
【０１２２】
ＤＳＰ／ＣＰＵ３は、上記撮影モードが設定されると、ＣＣＤ２による撮像を開始して被写体のスルー画像を表示装置６に表示させ（ステップＢ１）、録画開始ボタンの操作や、シャッターボタンの半押し操作があるまでの間、スルー画像の表示処理を繰り返す（ステップＢ２，Ｂ３が共にＮＯ）。その後、録画開始ボタンが操作されると（ステップＢ２でＹＥＳ）、ステップＢ４以降の音声付き動画撮影処理に移行し、シャッターボタンの半押し操作があると（ステップＢ３でＹＥＳ）、図３に示したステップＳ４〜Ｓ１３の静止画撮影処理に移行する。
【０１２３】
また、ＤＳＰ／ＣＰＵ３は、前述した撮影モードの設定直後におけるスルー画像の表示状態でユーザにより録画開始ボタンが操作されると（ステップＢ２でＹＥＳ）、所定のフレームレート（１／３０秒等の固定周期）で画像（動画フレーム）を撮像しバッファメモリに記憶する動画記録処理と、音声処理部８の内蔵マイクに入力した音声の音声データへの変換、バッファメモリへの記憶といった音声録音処理とを開始する（ステップＢ４）。なお、動画記録処理における動画フレームの撮像に際しては、ＣＣＤ２に、比較的短い出力タイミングで１画面中の奇数ラインの画素信号のみを出力させ、その奇数ラインの画素データをバッファメモリ（ＤＲＡＭ１０）に取り込み、取り込んだ画像データを所定の画素数に間引く処理を行う。
【０１２４】
その後、シャッターボタンが半押しされたり、録画終了ボタンが操作されるまでスルー画像表示処理（ステップＢ５）、動画記録処理および音声録音処理を継続する（ステップＢ６，Ｂ７が共にＮＯ）。やがて、録画終了ボタンが操作されたら（ステップＢ７でＹＥＳ）、それまでの間にバッファメモリ上に展開されている動画データ、すなわち周期的に撮像された複数のフレーム画像と、音声データを用いて音声付き動画ファイル（ｍｏｔｉｏｎ−ｊｐｅｇ形式等のファイル）を生成し、メモリ・カード１３に記憶する（ステップＢ８）。これにより音声付き動画撮影処理をいったん終了してステップＢ１へ戻る。つまり通常の音声付き動画撮影モードでの処理と同様の処理により動画を記録する。なお、音声付き動画ファイルの生成時において、音声データは動画のフレーム単位（フレーム周期）で時間軸方向に分割されてファイリングやパケット化が行われるとともに、動画ファイルのヘッダ上の時刻情報によってフレーム画像と同期化される。なお、動画ファイルとは別個に音声ファイルを生成し、これらを関連付けて記録するようにしてもよい。
【０１２５】
一方、ＤＳＰ／ＣＰＵ３は、スルー画象表示処理、動画記録処理および音声録音処理を継続する間にシャッターボタンの半押し操作があると（ステップＢ６でＹＥＳ）、スルー画像表示処理、動画撮影処理および音声録音処理を停止することなく、図１１に示したステップＢ９に移行し、以下の処理を実行する。
【０１２６】
まず、ＤＳＰ／ＣＰＵ３は、ＣＣＤ２から出力される撮像信号に基づき静止画撮影用のＡＦ処理及びＡＥ処理を実行し、撮影条件の設定を行う（ステップＢ９）。そして、撮影条件の設定が完了したら（ステップＢ１０でＹＥＳ）、前述した通常の静止画撮影処理のステップＳ６における報知音の放音や報知表示を行うことなく、設定した撮影条件でＣＣＤ２による撮像を開始しスルー画像を表示する（ステップＢ１１）。なお、報知表示は音声録音処理に支障はないので行なうようにしてもよい。ここで、シャッターボタンの全押し操作がなく、シャッターボタンの半押し操作が継続されている間は、ステップＢ１１へ戻りスルー画像の表示処理を継続する（ステップＢ１２でＮＯ、ステップＢ１３でＹＥＳ）。ステップＢ１３でシャッターボタンの半押し操作が解除されたと判断された場合には、前述した図１０のステップＢ５へ戻り、録画終了ボタンが操作されるまでスルー画像表示処理、動画記録処理および音声録音処理を継続する。
【０１２７】
また、スルー画像を表示する間にシャッターボタンの全押し操作があると（ステップＢ１２でＹＥＳ）、前述した通常の静止画撮影処理のステップＳ１０における疑似シャッター音の出力処理を行うことなく、その時点、つまりシャッターボタンが全押しされた時点の動画フレーム周期が終了するタイミングで、ステップＢ４で開始した動画記録処理を、シャッターボタンが全押しされる直前のフレームデータを、繰り返し使用する処理に切り替える（ステップＢ１４）。つまり後述する割り込みによる静止画撮影処理を行う間に動画フレーム周期でバッファメモリに蓄積するフレームデータを、撮像により取得されるフレームデータから、シャッターボタンが全押しされる直前のフレームデータのコピー（以下、代替フレームという）に切り替える。なお、音声録音処理はそのまま継続する。しかる後、前述したステップＳ１１と同様に、ＣＣＤ２による記録用の被写体画像の撮像、及びその画像データの生成等の静止画撮影処理を開始し（ステップＢ１５）、それが完了したら（ステップＢ１６でＹＥＳ）、バッファメモリ上で画像データに基づく静止画ファイル（ＪＰＥＧ形式等のファイル）を生成し、メモリ・カード１３に記憶する（ステップＢ１７）。これにより割り込みによる静止画撮影処理を終了する。
【０１２８】
その後、次の動画フレーム周期の到来を待つとともに、それが到来した時点で（ステップＢ１８でＹＥＳ）、それまでの動画フレーム周期に合わせたタイミングで、つまりそれまでの動画フレーム周期に同期させて、通常の動画記録処理（動画撮影処理）を再開する（ステップＢ１９）。
また、ステップＢ１９で動画記録処理を再開した時点において、シャッターボタンが半押しされていたときには（ステップＢ２０でＹＥＳ）、ステップＢ９に戻り、ＡＦ・ＡＥ処理を実行し、以後、前述したステップＢ９〜Ｂ２０の処理を繰り返す。
また、ステップＢ２０でシャッターボタンが半押しされていないと判断されたときには、前述した図１０のステップＢ５へ戻り、録画終了ボタンが操作されるまでスルー画像表示処理、動画記録処理および音声録音処理を継続し（ステップＢ６，Ｂ７が共にＮＯ）、録画終了ボタンが操作されたら（ステップＢ７でＹＥＳ）、それまでにバッファメモリに蓄積されている、前述した代替フレームを含む動画データと音声データを用いて音声付き動画ファイルを生成し、メモリ・カード１３に記憶する（ステップＢ８）。
【０１２９】
これにより、音声付き動画撮影処理をいったん終了してステップＢ１へ戻り、以後、同様の動作を撮影モードが解除されるまで繰り返す。
【０１３０】
以上のように本実施の形態においては、シャッターボタンの半押し操作によりＡＦ・ＡＥ処理が実行された後もシャッターボタンの全押し操作により静止画の撮影が指示されるまで動画撮影処理を停止させずに継続するようにしたので、動画撮影処理の中断時間を大幅に短縮することができるという効果がある。
【０１３１】
なお、本実施の形態では、動画撮影中にシャッターボタンが半押しされた場合にＡＦ・ＡＥ処理を実行し、その後、シャッターボタンが全押しされた場合に割り込みによる静止画撮影処理を実行する構成にしたが、シャッターボタンの半押し操作（ＡＦトリガ）を検出せずに、全押し操作（シャッタートリガ）のみを検出し、単純に動画撮影中にシャッターボタンが押下された時点でＡＦ・ＡＥ処理及び静止画撮影処理を実行する構成にしてもよい。
【０１３２】
また、上記第１〜第４の実施の形態では、動画撮影処理を停止している間、移行直前のフレームデータ又は静止画撮影で得られたフレームデータ（代替フレーム）を動画撮影用フレーム周期で繰り返し使用（コピー）してバッファメモリ上への動画データの記録を続行（継続）するようにしたが、動画撮影処理を停止している間、完全に動画撮影に係る処理を停止させ、動画撮影終了後、動画撮影処理を停止した箇所に上記代替フレームを挿入するようにしてもよい。
【０１３３】
また、上記第１〜第４の実施の形態では、動画撮影を中断することにより生じた欠落箇所に代替フレームを挿入するようにしたが、それを挿入せずに静止画撮影処理前後の動画データを直接つなぎ合わせて１つの動画ファイルを作成するようにしてもよい。
【０１３４】
また、上記第１〜第４の実施の形態では、動画撮影処理を停止する直前のフレームデータ又は静止画撮影で得られた代替フレームを動画データの欠落箇所に挿入するようにしたが、動画撮影処理を再開した直後のフレームデータを欠落箇所に挿入するようにしたり、複数のフレームデータを所定の比率で合成して生成したフレームデータを動画データの欠落箇所に挿入するようにしたり、欠落箇所に挿入するフレームデータを段階的に異なる他のフレームデータに変更していくようにしてもよい。
【０１３５】
また、上記第１〜第４の実施の形態では、動画撮影処理を再開するタイミングを動画撮影用周期に同期させるために、ダミー期間を設けて再開時期を遅延させるようにしたが、遅延させずに静止画撮影処理を終了した後、直ちに動画撮影処理を開始するようにしてもよい。
【０１３６】
また、上記第１〜第４の実施の形態では、動画撮影機能付き電子スチルカメラに本発明を適用したが、静止画撮影機能付きムービーカメラ、カメラ付き携帯電話、カメラ付きＰＤＡ、カメラ付きパソコン等でもよく、要は、動画撮影機能と静止画撮影機能を兼ね備えた機器であれば本発明を適用することができる。
【０１３７】
その他、本発明は上記実施の形態に限らず、その要旨を逸脱しない範囲内で種々変形して実施することが可能であるものとする。
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１３８】
【図１】本発明の第１の実施の形態を示すデジタルカメラのブロック図である。
【図２】同デジタルカメラの撮影モードでの動作を示すフローチャートである。
【図３】図２に続くフローチャートである。
【図４】図２に続くフローチャートである。
【図５】デジタルカメラによる動画撮影時のタイミングチャートである。
【図６】本発明の第２の実施の形態を示す動画撮影時のタイミングチャートである。
【図７】本発明の第３の実施の形態を示す撮影モードでの動作を示すフローチャートである。
【図８】図７に続くフローチャートである。
【図９】図７に続くフローチャートである。
【図１０】本発明の第４の実施の形態を示す撮影モードでの動作を示すフローチャートである。
【図１１】図１０に続くフローチャートである。
【符号の説明】
【０１３９】
１  デジタルカメラ
２  ＣＣＤ
３  ＤＳＰ／ＣＰＵ
４  ＴＧ
５  ユニット回路
６  表示装置
７  キー入力部
８  音声処理部
９  データバス
１０  ＤＲＡＭ
１１  内蔵フラッシュメモリ
１２  インターフェイス
１３  メモリ・カード
【図１】
2006314136.tif 000003
【図２】
2006314136.tif 000004
【図３】
2006314136.tif 000005
【図４】
2006314136.tif 000006
【図５】
2006314136.tif 000007
【図６】
2006314136.tif 000008
【図７】
2006314136.tif 000009
【図８】
2006314136.tif 000010
【図９】
2006314136.tif 000011
【図１０】
2006314136.tif 000012
【図１１】
2006314136.tif 000013
【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
指定された形態の画像データを撮像して出力する撮像素子と、
静止画撮影前の準備動作が指示された後、静止画撮影が指示されるまでの間、準備動作用の画像データを撮像して出力する処理を前記撮像素子に繰り返し実行させることにより静止画撮影前の準備動作を行い、静止画撮影が指示されたタイミングで、静止画用の画像データを撮像して出力する処理を前記撮像素子に実行させ、この出力された画像データを静止画データとして記録する静止画撮影手段と、
動画撮影が指示された後に、動画フレーム用の画像データを撮像して出力する処理を、動画フレーム周期で前記撮像素子に繰り返し実行させることにより各動画フレームに対応する画像データを順番に取得していき、動画撮影の終了が指示されるまでの間に取得された複数の画像データを、取得時と同じ順番で連続再生することが可能な動画データとして記録する動画撮影手段と、
を備え、
前記動画撮影手段は、前記静止画撮影手段と動作タイミングが重なった場合、前記準備動作用の画像データの撮像が開始されてから静止画用の画像データが撮像されるまでの時間の変化に応じた回数だけ、前記撮像素子による動画フレーム用の画像データの撮像を中断することを特徴とする撮影装置。
【請求項２】
前記動画撮影手段は、前記中断により欠落する動画フレームの数だけ、取得されている画像データを複製することにより画像データを取得することを特徴とする請求項１記載の撮影装置。
【請求項３】
前記準備動作は、適切なフォーカスが得られるまでの間、レンズの焦点距離を変えながらオートフォーカス用の画像データを撮像して出力する処理を前記撮像素子に繰り返し実行させる準備動作であり、撮影状況に応じて処理時間の変化する準備動作であることを特徴とする請求項１乃至２記載の撮影装置。
【請求項４】
前記準備動作は、静止画撮影が指示されるまでの間、モニタ表示用の画像データを撮像して出力する処理を前記撮像素子に繰り返し実行させる準備動作であり、利用者による指示操作のタイミングに応じて処理時間の変化する準備動作であることを特徴とする請求項１乃至２記載の撮影装置。
【請求項５】
前記準備動作を開始してからの経過時間を計測する計測手段と、
前記計測手段により計測される経過時間が予め決められた時間に達した場合は、前記準備動作を中断するとともに、前記静止画撮影手段による静止画データの撮影記録を行うことなく、前記動画撮影手段が前記撮像素子を利用可能な状態に復帰させる復帰手段と、を更に備えることを特徴とする請求項１乃至４記載の撮影装置。
【請求項６】
前記準備動作を開始してからの経過時間を計測する計測手段と、
前記計測手段により計測される経過時間が予め決められた時間に達した場合は、前記静止画撮影手段による静止画の撮影指示を促す報知を行う報知手段を更に備えることを特徴とする請求項１乃至４記載の撮影装置。
【請求項７】
指定された形態の画像データを撮像して出力する撮像素子と、
静止画撮影の指示が継続して行われている間は、静止画用の画像データを撮像して出力する処理を前記撮像素子に連続して複数回実行させ、この出力された各々の画像データを静止画データとして記録する静止画撮影手段と、
動画撮影が指示された後に、動画フレーム用の画像データを撮像して出力する処理を、動画フレーム周期で前記撮像素子に繰り返し実行させることにより各動画フレームに対応する画像データを順番に取得していき、動画撮影の終了が指示されるまでの間に取得された複数の画像データを、取得時と同じ順番で連続再生することが可能な動画データとして記録する動画撮影手段と、
を備え、
前記動画撮影手段は、前記静止画撮影手段と動作タイミングが重なった場合、前記静止画撮影の指示が継続している時間の変化に応じた回数だけ、前記撮像素子による動画フレーム用の画像データの撮像を中断することを特徴とする撮影装置。
【請求項８】
前記動画撮影手段は、前記中断により欠落する動画フレームの数だけ、取得されている画像データを複製することにより画像データを取得することを特徴とする請求項７記載の撮影装置。
【請求項９】
前記静止画撮影の指示が継続して行われることにより前記撮像素子が静止画用の画像データを撮像して出力する回数が予め決められた回数に達した場合は、この継続した静止画撮影の指示に応じて行われる静止画データの撮像記録動作を中断し、前記動画撮影手段が前記撮像素子を利用可能な状態に復帰させる復帰手段と、を更に備えることを特徴とする請求項７乃至８記載の撮影装置。
【請求項１０】
前記復帰手段は、前記静止画撮影の指示が継続して行われている時間が予め決められた時間を超えた場合は、この継続した静止画撮影の指示に応じて行われる静止画データの撮像記録動作を中断し、前記動画撮影手段が前記撮像素子を利用可能な状態に復帰させる復帰手段と、を更に備えることを特徴とする請求項９記載の撮影装置。
【請求項１１】
前記動画撮影手段は、前記静止画撮影手段による連続撮影と動作タイミングが重なっている間において、前記静止画撮影手段により少なくとも１つの静止画データが撮像された後は、既に撮像済みの静止画データを繰り返し複製することにより各動画フレームに対応する画像データを取得することを特徴とする請求項７記載の撮影装置。
【請求項１２】
前記動画撮影手段は、既に撮像済みの静止画データを複製する際に、この静止画データを動画フレーム用の画像データに変換してから複製することを特徴とする請求項１１記載の撮影装置。
【請求項１３】
前記動画撮影手段は、前記繰り返し実行される各静止画データの複製において、前記静止画撮影手段により連続して撮像される静止画データの中でより新しく撮像された静止画データを用いて複製を行うことを特徴とする請求項１１記載の撮影装置。
【請求項１４】
前記静止画撮影手段は、前記動画フレーム周期とは非同期のタイミングで静止画用の画像データを撮像して出力する処理を前記撮像素子に実行させ、
前記動画撮影手段は、前記撮像素子による静止画用の画像データを撮像して出力する処理が終了した後であっても、前記動画フレーム周期がくるまでの間は、前記撮像素子による動画フレーム用の画像データを撮像して出力する処理を再開させずにダミー期間を挿入することを特徴とする請求項１または７記載の撮影装置。
【請求項１５】
指定された形態の画像データを撮像して出力する撮像素子を有する撮影装置の撮像方法であって、
静止画撮影前の準備動作が指示された後、静止画撮影が指示されるまでの間、準備動作用の画像データを撮像して出力する処理を前記撮像素子に繰り返し実行させることにより静止画撮影前の準備動作を行い、静止画撮影が指示されたタイミングで、静止画用の画像データを撮像して出力する処理を前記撮像素子に実行させ、この出力された画像データを静止画データとして記録する静止画撮影処理と、
動画撮影が指示された後に、動画フレーム用の画像データを撮像して出力する処理を、動画フレーム周期で前記撮像素子に繰り返し実行させることにより各動画フレームに対応する画像データを順番に取得していき、動画撮影の終了が指示されるまでの間に取得された複数の画像データを、取得時と同じ順番で連続再生することが可能な動画データとして記録する動画撮影処理と、
前記動画撮影処理と前記静止画撮影処理の動作タイミングが重なった場合、前記準備動作用の画像データの撮像が開始されてから静止画用の画像データが撮像されるまでの時間の変化に応じた回数だけ、前記撮像素子による動画フレーム用の画像データの撮像を中断するように制御する処理と、
からなることを特徴とする撮影方法。
【請求項１６】
指定された形態の画像データを撮像して出力する撮像素子を有する撮影装置の撮像方法であって、
静止画撮影の指示が継続して行われている間は、静止画用の画像データを撮像して出力する処理を前記撮像素子に連続して複数回実行させ、この出力された各々の画像データを静止画データとして記録する静止画撮影処理と、
動画撮影が指示された後に、動画フレーム用の画像データを撮像して出力する処理を、動画フレーム周期で前記撮像素子に繰り返し実行させることにより各動画フレームに対応する画像データを順番に取得していき、動画撮影の終了が指示されるまでの間に取得された複数の画像データを、取得時と同じ順番で連続再生することが可能な動画データとして記録する動画撮影処理と、
前記動画撮影処理と前記静止画撮影処理の動作タイミングが重なった場合、前記静止画撮影の指示が継続している時間の変化に応じた回数だけ、前記撮像素子による動画フレーム用の画像データの撮像を中断するように制御する処理と、
からなることを特徴とする撮影方法。
【請求項１７】
指定された形態の画像データを撮像して出力する撮像素子を有する撮影装置のコンピュータに、
静止画撮影前の準備動作が指示された後、静止画撮影が指示されるまでの間、準備動作用の画像データを撮像して出力する処理を前記撮像素子に繰り返し実行させることにより静止画撮影前の準備動作を行い、静止画撮影が指示されたタイミングで、静止画用の画像データを撮像して出力する処理を前記撮像素子に実行させ、この出力された画像データを静止画データとして記録する静止画撮影処理と、
動画撮影が指示された後に、動画フレーム用の画像データを撮像して出力する処理を、動画フレーム周期で前記撮像素子に繰り返し実行させることにより各動画フレームに対応する画像データを順番に取得していき、動画撮影の終了が指示されるまでの間に取得された複数の画像データを、取得時と同じ順番で連続再生することが可能な動画データとして記録する動画撮影処理と、
前記動画撮影処理と前記静止画撮影処理の動作タイミングが重なった場合、前記準備動作用の画像データの撮像が開始されてから静止画用の画像データが撮像されるまでの時間の変化に応じた回数だけ、前記撮像素子による動画フレーム用の画像データの撮像を中断するように制御する処理と、
を実行させるためのプログラム。
【請求項１８】
指定された形態の画像データを撮像して出力する撮像素子を有する撮影装置のコンピュータに、
静止画撮影の指示が継続して行われている間は、静止画用の画像データを撮像して出力する処理を前記撮像素子に連続して複数回実行させ、この出力された各々の画像データを静止画データとして記録する静止画撮影処理と、
動画撮影が指示された後に、動画フレーム用の画像データを撮像して出力する処理を、動画フレーム周期で前記撮像素子に繰り返し実行させることにより各動画フレームに対応する画像データを順番に取得していき、動画撮影の終了が指示されるまでの間に取得された複数の画像データを、取得時と同じ順番で連続再生することが可能な動画データとして記録する動画撮影処理と、
前記動画撮影処理と前記静止画撮影処理の動作タイミングが重なった場合、前記静止画撮影の指示が継続している時間の変化に応じた回数だけ、前記撮像素子による動画フレーム用の画像データの撮像を中断するように制御する処理と、
を実行させるためのプログラム。
【手続補正２】
【補正対象書類名】明細書
【補正対象項目名】０００８
【補正方法】変更
【補正の内容】
【０００８】
前記課題を解決するために請求項１の発明にあっては、指定された形態の画像データを撮像して出力する撮像素子と、静止画撮影前の準備動作が指示された後、静止画撮影が指示されるまでの間、準備動作用の画像データを撮像して出力する処理を前記撮像素子に繰り返し実行させることにより静止画撮影前の準備動作を行い、静止画撮影が指示されたタイミングで、静止画用の画像データを撮像して出力する処理を前記撮像素子に実行させ、この出力された画像データを静止画データとして記録する静止画撮影手段と、動画撮影が指示された後に、動画フレーム用の画像データを撮像して出力する処理を、動画フレーム周期で前記撮像素子に繰り返し実行させることにより各動画フレームに対応する画像データを順番に取得していき、動画撮影の終了が指示されるまでの間に取得された複数の画像データを、取得時と同じ順番で連続再生することが可能な動画データとして記録する動画撮影手段と、を備え、前記動画撮影手段は、前記静止画撮影手段と動作タイミングが重なった場合、前記準備動作用の画像データの撮像が開始されてから静止画用の画像データが撮像されるまでの時間の変化に応じた回数だけ、前記撮像素子による動画フレーム用の画像データの撮像を中断することを特徴とする。
【手続補正３】
【補正対象書類名】明細書
【補正対象項目名】０００９
【補正方法】変更
【補正の内容】
【０００９】
また、請求項２の発明にあっては、前記動画撮影手段は、前記中断により欠落する動画フレームの数だけ、取得されている画像データを複製することにより画像データを取得することを特徴とする。
【手続補正４】
【補正対象書類名】明細書
【補正対象項目名】００１０
【補正方法】変更
【補正の内容】
【００１０】
また、請求項３の発明にあっては、前記準備動作は、適切なフォーカスが得られるまでの間、レンズの焦点距離を変えながらオートフォーカス用の画像データを撮像して出力する処理を前記撮像素子に繰り返し実行させる準備動作であり、撮影状況に応じて処理時間の変化する準備動作であることを特徴とする。
【手続補正５】
【補正対象書類名】明細書
【補正対象項目名】００１１
【補正方法】変更
【補正の内容】
【００１１】
また、請求項４の発明にあっては、前記準備動作は、静止画撮影が指示されるまでの間、モニタ表示用の画像データを撮像して出力する処理を前記撮像素子に繰り返し実行させる準備動作であり、利用者による指示操作のタイミングに応じて処理時間の変化する準備動作であることを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
また、請求項５の発明にあっては、前記準備動作を開始してからの経過時間を計測する計測手段と、前記計測手段により計測される経過時間が予め決められた時間に達した場合は、前記準備動作を中断するとともに、前記静止画撮影手段による静止画データの撮影記録を行うことなく、前記動画撮影手段が前記撮像素子を利用可能な状態に復帰させる復帰手段と、を更に備えることを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
また、請求項６の発明にあっては、前記準備動作を開始してからの経過時間を計測する計測手段と、前記計測手段により計測される経過時間が予め決められた時間に達した場合は、前記静止画撮影手段による静止画の撮影指示を促す報知を行う報知手段を更に備えることを特徴とする。
【手続補正１０】
【補正対象書類名】明細書
【補正対象項目名】００１６
【補正方法】変更
【補正の内容】
【００１６】
また、請求項７の発明にあっては、指定された形態の画像データを撮像して出力する撮像素子と、静止画撮影の指示が継続して行われている間は、静止画用の画像データを撮像して出力する処理を前記撮像素子に連続して複数回実行させ、この出力された各々の画像データを静止画データとして記録する静止画撮影手段と、動画撮影が指示された後に、動画フレーム用の画像データを撮像して出力する処理を、動画フレーム周期で前記撮像素子に繰り返し実行させることにより各動画フレームに対応する画像データを順番に取得していき、動画撮影の終了が指示されるまでの間に取得された複数の画像データを、取得時と同じ順番で連続再生することが可能な動画データとして記録する動画撮影手段と、を備え、前記動画撮影手段は、前記静止画撮影手段と動作タイミングが重なった場合、前記静止画撮影の指示が継続している時間の変化に応じた回数だけ、前記撮像素子による動画フレーム用の画像データの撮像を中断することを特徴とする。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
また、請求項８の発明にあっては、前記動画撮影手段は、前記中断により欠落する動画フレームの数だけ、取得されている画像データを複製することにより画像データを取得することを特徴とする。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
また、請求項９の発明にあっては、前記静止画撮影の指示が継続して行われることにより前記撮像素子が静止画用の画像データを撮像して出力する回数が予め決められた回数に達した場合は、この継続した静止画撮影の指示に応じて行われる静止画データの撮像記録動作を中断し、前記動画撮影手段が前記撮像素子を利用可能な状態に復帰させる復帰手段と、を更に備えることを特徴とする。
【手続補正１５】
【補正対象書類名】明細書
【補正対象項目名】００２１
【補正方法】変更
【補正の内容】
【００２１】
また、請求項１０の発明にあっては、前記復帰手段は、前記静止画撮影の指示が継続して行われている時間が予め決められた時間を超えた場合は、この継続した静止画撮影の指示に応じて行われる静止画データの撮像記録動作を中断し、前記動画撮影手段が前記撮像素子を利用可能な状態に復帰させる復帰手段と、を更に備えることを特徴とする。
【手続補正１６】
【補正対象書類名】明細書
【補正対象項目名】００２２
【補正方法】変更
【補正の内容】
【００２２】
また、請求項１１の発明にあっては、前記動画撮影手段は、前記静止画撮影手段による連続撮影と動作タイミングが重なっている間において、前記静止画撮影手段により少なくとも１つの静止画データが撮像された後は、既に撮像済みの静止画データを繰り返し複製することにより各動画フレームに対応する画像データを取得することを特徴とする。
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】変更
【補正の内容】
【００２４】
また、請求項１２の発明にあっては、前記動画撮影手段は、既に撮像済みの静止画データを複製する際に、この静止画データを動画フレーム用の画像データに変換してから複製することを特徴とする。
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】変更
【補正の内容】
【００２６】
また、請求項１３の発明にあっては、前記動画撮影手段は、前記繰り返し実行される各静止画データの複製において、前記静止画撮影手段により連続して撮像される静止画データの中でより新しく撮像された静止画データを用いて複製を行うことを特徴とする。
【手続補正２１】
【補正対象書類名】明細書
【補正対象項目名】００２７
【補正方法】変更
【補正の内容】
【００２７】
また、請求項１４の発明にあっては、前記静止画撮影手段は、前記動画フレーム周期とは非同期のタイミングで静止画用の画像データを撮像して出力する処理を前記撮像素子に実行させ、前記動画撮影手段は、前記撮像素子による静止画用の画像データを撮像して出力する処理が終了した後であっても、前記動画フレーム周期がくるまでの間は、前記撮像素子による動画フレーム用の画像データを撮像して出力する処理を再開させずにダミー期間を挿入することを特徴とする。
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】変更
【補正の内容】
【００５４】
以上説明したように請求項１の発明にあっては、動画撮影が指示された後に、動画フレーム用の画像データを撮像して出力する処理を、動画フレーム周期で前記撮像素子に繰り返し実行させることにより各動画フレームに対応する画像データを順番に取得していき、動画撮影の終了が指示されるまでの間に取得された複数の画像データを、取得時と同じ順番で連続再生することが可能な動画データとして記録する動画撮影動作において、準備動作を伴う静止画撮影動作の動作タイミングと重なった場合、準備動作用の画像データの撮像が開始されてから静止画用の画像データが撮像されるまでの時間の変化に応じた回数だけ、動画撮影動作における撮像素子による動画フレーム用の画像データの撮像を中断するように構成したので、静止画撮影前の準備動作に要する時間が変化することで欠落する動画フレームの数が変化するような場合でも、記録時と同じ順番で連続再生することが可能な動画データを記録することができる。
【手続補正４９】
【補正対象書類名】明細書
【補正対象項目名】００５５
【補正方法】変更
【補正の内容】
【００５５】
また、請求項７の発明にあっては、動画撮影が指示された後に、動画フレーム用の画像データを撮像して出力する処理を、動画フレーム周期で前記撮像素子に繰り返し実行させることにより各動画フレームに対応する画像データを順番に取得していき、動画撮影の終了が指示されるまでの間に取得された複数の画像データを、取得時と同じ順番で連続再生することが可能な動画データとして記録する動画撮影動作において、連続する静止画撮影動作の動作タイミングと重なった場合、静止画撮影の指示が継続している時間の変化に応じた回数だけ、前記撮像素子による動画フレーム用の画像データの撮像を中断するように構成したので、連続する静止画撮影に要する時間が変化することで欠落する動画フレームの数が変化するような場合でも、記録時と同じ順番で連続再生することが可能な動画データを記録することができる。
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】
【手続補正５２】
【補正対象書類名】明細書
【補正対象項目名】００５８
【補正方法】削除
【補正の内容】
【手続補正５３】
【補正対象書類名】明細書
【補正対象項目名】００５９
【補正方法】削除
【補正の内容】
【手続補正５４】
【補正対象書類名】明細書
【補正対象項目名】００６０
【補正方法】削除
【補正の内容】
【手続補正５５】
【補正対象書類名】明細書
【補正対象項目名】００６１
【補正方法】削除
【補正の内容】
【手続補正５６】
【補正対象書類名】明細書
【補正対象項目名】００６２
【補正方法】削除
【補正の内容】
【手続補正５７】
【補正対象書類名】明細書
【補正対象項目名】００６３
【補正方法】削除
【補正の内容】
【手続補正５８】
【補正対象書類名】明細書
【補正対象項目名】００６４
【補正方法】削除
【補正の内容】
【手続補正５９】
【補正対象書類名】明細書
【補正対象項目名】００６５
【補正方法】削除
【補正の内容】
【手続補正６０】
【補正対象書類名】明細書
【補正対象項目名】００６６
【補正方法】削除
【補正の内容】
【手続補正６１】
【補正対象書類名】明細書
【補正対象項目名】００６７
【補正方法】削除
【補正の内容】
【手続補正６２】
【補正対象書類名】明細書
【補正対象項目名】００６８
【補正方法】削除
【補正の内容】